(57)【要約】【課題】２種類の光の配光を制御すること。【解決手段】実施形態の面状照明装置は、光源から出射された光が入射される入光面、及び、前記入光面に入射された光を出射する出射面を有する導光板と、前記導光板の入光面とは反対側の終端面に対向し、前記終端面から漏れる光を反射する反射部材と、を備え、前記導光板の前記出射面とは反対側の反対面には、前記反射部材により反射されて前記終端面から前記入光面に向かう光を、第１の光として前記出射面から第１の方向に出射させるとともに、前記入光面に入射された光であって前記入光面から前記終端面に向かう光を、第２の光として前記出射面から前記第１の方向と異なる第２の方向に出射させる複数の第１のプリズムが、前記入光面から前記終端面にかけて、前記出射面から段階的に離れるように形成されている。【選択図】図１０
2018129239.tif 000002
【特許請求の範囲】
【請求項１】
光源から出射された光が入射される入光面、及び、前記入光面に入射された光を出射する出射面を有する導光板と、
前記導光板の入光面とは反対側の終端面に対向し、前記終端面から漏れる光を反射する反射部材と、
を備え、
前記導光板の前記出射面とは反対側の反対面には、前記反射部材により反射されて前記終端面から前記入光面に向かう光を、第１の光として前記出射面から第１の方向に出射させるとともに、前記入光面に入射された光であって前記入光面から前記終端面に向かう光を、第２の光として前記出射面から前記第１の方向と異なる第２の方向に出射させる複数の第１のプリズムが、前記入光面から前記終端面にかけて、前記出射面から段階的に離れるように形成されている、
面状照明装置。
【請求項２】
前記第１のプリズムは、前記出射面とは反対側に突出する第１の凸部を有し、
前記第１の凸部は、前記入光面から前記終端面に向かう方向において、徐々に、前記出射面から離れる領域であって、前記終端面から前記入光面に向かう光を前記第１の光として前記出射面から前記第１の方向に出射させる領域である第１の領域、及び、前記入光面から前記終端面に向かう方向において、徐々に、前記出射面に近づく領域であって、少なくとも、前記入光面から前記終端面に向かう光を、前記第２の光として前記出射面から前記第２の方向に出射させる領域である第２の領域を有する、
請求項１に記載の面状照明装置。
【請求項３】
前記第１のプリズムは、前記出射面側に凹む第１の凹部を有し、
前記第１の凹部は、前記入光面から前記終端面に向かう方向において、徐々に、前記出射面から離れる領域であって、前記終端面から前記入光面に向かう光を前記第１の光として前記出射面から前記第１の方向に出射させる領域である第１の領域、及び、前記入光面から前記終端面に向かう方向において、徐々に、前記出射面に近づく領域であって、少なくとも、前記入光面から前記終端面に向かう光を、前記第２の光として前記出射面から前記第２の方向に出射させる領域である第２の領域を有する、
請求項１に記載の面状照明装置。
【請求項４】
前記第２の領域は、複数の平面又は複数の曲面を含み、
前記複数の平面又は複数の曲面のうち、少なくとも１つは、前記入光面から前記終端面に向かう光を、前記第１の光として前記出射面から前記第１の方向に出射させる、
請求項２又は３に記載の面状照明装置。
【請求項５】
前記第１のプリズムは、前記入光面と平行な第３の領域を有する、
請求項２〜４のいずれか１つに記載の面状照明装置。
【請求項６】
前記導光板の前記反対面には、前記入光面に入射された光であって前記入光面から前記終端面に向かう光、及び、前記反射部材により反射されて前記終端面から前記入光面に向かう光を、前記第１の光として前記出射面から前記第１の方向に出射させる複数の第２のプリズムが、前記入光面から前記終端面にかけて、前記出射面から段階的に離れるように形成されている、
請求項１〜５のいずれか１つに記載の面状照明装置。
【請求項７】
前記入光面から前記終端面に向かう第３の方向と交差する第４の方向に前記第１のプリズム及び前記第２のプリズムが並んだプリズム列が、前記第３の方向に複数形成されている、
請求項６に記載の面状照明装置。
【請求項８】
前記第２のプリズムは、前記出射面とは反対側に突出する第２の凸部を有し、
前記第２の凸部は、前記入光面から前記終端面に向かう方向において、徐々に、前記出射面から離れる領域であって、前記終端面から前記入光面に向かう光を前記第１の光として前記出射面から前記第１の方向に出射させる領域である第４の領域、及び、前記入光面から前記終端面に向かう方向において、徐々に、前記出射面に近づく領域であって、前記入光面から前記終端面に向かう光を、前記第１の光として前記出射面から前記第１の方向に出射させる領域、又は、前記第２の光として前記出射面から前記第２の方向に出射させ、かつ、前記第１のプリズムの前記入光面から前記終端面に向かう方向において徐々に前記出射面に近づく領域のうち前記出射面から前記第２の方向に前記第２の光を出射させる領域よりも小さい領域である第５の領域を有する、
請求項６又は７に記載の面状照明装置。
【請求項９】
前記第２のプリズムは、前記出射面側に凹む第２の凹部を有し、
前記第２の凹部は、前記入光面から前記終端面に向かう方向において、徐々に、前記出射面から離れる領域であって、前記終端面から前記入光面に向かう光を前記第１の光として前記出射面から前記第１の方向に出射させる領域である第４の領域、及び、前記第２の凹部は、前記入光面から前記終端面に向かう方向において、徐々に、前記出射面に近づく領域であって、前記入光面から前記終端面に向かう光を、前記第１の光として前記出射面から前記第１の方向に出射させる領域、又は、前記第２の光として前記出射面から前記第２の方向に出射させ、かつ、前記第１のプリズムの前記入光面から前記終端面に向かう方向において徐々に前記出射面に近づく領域のうち前記出射面から前記第２の方向に前記第２の光を出射させる領域よりも小さい領域である第５の領域を有する、
請求項６又は７に記載の面状照明装置。
【請求項１０】
前記第２のプリズムは、前記入光面と平行な第３の領域を有する、
請求項６〜９のいずれか１つに記載の面状照明装置。
【発明の詳細な説明】
【技術分野】
【０００１】
本発明は、面状照明装置に関する。
【背景技術】
【０００２】
従来から、自動車のハイマウントストップランプ等の車載標識ランプや自動車のルームランプ等に用いられる面状照明装置が提供されている。
【先行技術文献】
【特許文献】
【０００３】
【特許文献１】特開２００２−２５８０５８号公報
【発明の概要】
【発明が解決しようとする課題】
【０００４】
ここで、面状照明装置において、照明用の光を出射することに加えて、デザイン用の光を出射することが考えられる。デザイン用の光とは、例えば、発光の強弱で模様や文字等を表示することである。面状照明装置が模様や文字等の発光パターンを表示することで、面状照明装置の価値が高まる。この場合には、面状照明装置は、照明用の光の配光、及び、デザイン用の光の配光を制御する必要がある。しかしながら、照明用の光の配光、及び、デザイン用の光の配光の２種類の光の配光を制御することは、困難である。
【０００５】
本発明は、上記に鑑みてなされたものであって、２種類の光の配光を制御することができる面状照明装置を提供することを目的とする。
【課題を解決するための手段】
【０００６】
上述した課題を解決し、目的を達成するために、本発明の一態様に係る面状照明装置は、光源から出射された光が入射される入光面、及び、前記入光面に入射された光を出射する出射面を有する導光板と、前記導光板の入光面とは反対側の終端面に対向し、前記終端面から漏れる光を反射する反射部材と、を備え、前記導光板の前記出射面とは反対側の反対面には、前記反射部材により反射されて前記終端面から前記入光面に向かう光を、第１の光として前記出射面から第１の方向に出射させるとともに、前記入光面に入射された光であって前記入光面から前記終端面に向かう光を、第２の光として前記出射面から前記第１の方向と異なる第２の方向に出射させる複数の第１のプリズムが、前記入光面から前記終端面にかけて、前記出射面から段階的に離れるように形成されている。
【発明の効果】
【０００７】
本発明の一態様によれば、２種類の光の配光を制御することができる。
【図面の簡単な説明】
【０００８】
【図１】図１は、第１の実施形態に係る面状照明装置の正面図である。
【図２】図２は、第１の実施形態に係るライトバーを説明するための図である。
【図３】図３は、第１部分及び第２部分の一部の拡大図である。
【図４】図４は、第１の実施形態に係るライトバーの出射面とは反対側の面に形成されるプリズムを説明するための図である。
【図５】図５は、第１の実施形態に係るライトバーの出射面とは反対側の面に形成されるプリズムを説明するための図である。
【図６】図６は、第１の実施形態に係るライトバーの出射面に形成されるプリズムを説明するための図である。
【図７Ａ】図７Ａは、第１の実施形態に係るプリズムシートについて説明するための図である。
【図７Ｂ】図７Ｂは、第１の実施形態に係るプリズムシートについて説明するための図である。
【図８】図８は、第１の実施形態に係るプリズムシートについて説明するための図である。
【図９】図９は、第１の実施形態に係る導光板について説明するための図である。
【図１０】図１０は、第１の実施形態に係る導光板について説明するための図である。
【図１１】図１１は、実施形態に係る出射面に対する第３の領域の傾斜角度の一例を説明するための図である。
【図１２】図１２は、第１の実施形態に係るプリズムが形成される導光板を製造する際に用いる金型の製造方法の一例について説明するための図である。
【図１３】図１３は、第１の参考例の面状照明装置の側面図である。
【図１４】図１４は、第２の実施形態に係る導光板について説明するための図である。
【図１５】図１５は、第２の実施形態において、第２の方向から利用者が面状照明装置を観察した場合の発光パターンの一例について説明するための図である。
【図１６】図１６は、第２の実施形態に係るプリズムが形成される導光板を製造する際に用いる金型の製造方法の一例について説明するための図である。
【図１７】図１７は、第３の実施形態に係る面状照明装置が備える導光板について説明するための図である。
【図１８】図１８は、第３の実施形態に係るプリズムが形成される導光板を製造する際に用いる金型の製造方法の一例について説明するための図である。
【図１９】図１９は、第４の実施形態に係る面状照明装置が備える導光板について説明するための図である。
【図２０】図２０は、第４の実施形態に係るプリズムが形成される導光板を製造する際に用いる金型の製造方法の一例について説明するための図である。
【図２１】図２１は、他のプリズムの一例を説明するための図である。
【図２２】図２２は、他のプリズムの一例を説明するための図である。
【図２３】図２３は、他のプリズムの一例を説明するための図である。
【図２４】図２４は、他のプリズムの一例を説明するための図である。
【図２５】図２５は、他のプリズムの一例を説明するための図である。
【図２６】図２６は、他のプリズムの一例を説明するための図である。
【図２７】図２７は、他のプリズムの一例を説明するための図である。
【図２８】図２８は、他のプリズムの一例を説明するための図である。
【図２９】図２９は、他のプリズムの一例を説明するための図である。
【図３０】図３０は、他のプリズムの一例を説明するための図である。
【図３１】図３１は、他のプリズムの一例を説明するための図である。
【図３２】図３２は、第２の参考例に係る導光板の側面図である。
【図３３】図３３は、他のバイトの一例を示す図である。
【図３４】図３４は、他のバイトの一例を示す図である。
【図３５】図３５は、他のバイトの一例を示す図である。
【図３６】図３６は、他のバイトの一例を示す図である。
【図３７】図３７は、他のバイトの一例を示す図である。
【図３８】図３８は、他のバイトの一例を示す図である。
【図３９】図３９は、図３２を参照して説明した第２の参考例に係るプリズムが形成された導光板を備える面状照明装置のモデルにより、評価面に照射された照明用の光の照度分布の一例、及び、評価面の縦方向の位置と、縦方向の各位置における横方向の中心の位置「０」の照度との関係を示すグラフの一例を示す図である。
【図４０】図４０は、図２１を参照して説明したプリズムが形成された導光板を備える面状照明装置のモデルにより、評価面に照射された照明用の光の照度分布の一例、及び、評価面の縦方向の位置と、縦方向の各位置における横方向の中心の位置「０」の照度との関係を示すグラフの一例を示す図である。
【図４１】図４１は、図１０を参照して説明したプリズムが形成された導光板を備える面状照明装置のモデルにより、評価面に照射された照明用の光の照度分布の一例、及び、評価面の縦方向の位置と、縦方向の各位置における横方向の中心の位置「０」の照度との関係を示すグラフの一例を示す図である。
【図４２】図４２は、図２６を参照して説明したプリズムが形成された導光板を備える面状照明装置のモデルにより、評価面に照射された照明用の光の照度分布の一例、及び、評価面の縦方向の位置と、縦方向の各位置における横方向の中心の位置「０」の照度との関係を示すグラフの一例を示す図である。
【発明を実施するための形態】
【０００９】
以下、実施形態に係る面状照明装置について図面を参照して説明する。なお、以下に説明する実施形態により面状照明装置の用途が限定されるものではない。また、図面は模式的なものであり、各要素の寸法の関係、各要素の比率などは、現実と異なる場合があることに留意する必要がある。図面の相互間においても、互いの寸法の関係や比率が異なる部分が含まれている場合がある。
【００１０】
（第１の実施形態）
まず、図１を用いて、面状照明装置１の構成の概要を説明する。図１は、第１の実施形態に係る面状照明装置１の正面図である。
【００１１】
図１に示すように、面状照明装置１は、ハウジングフレーム１１と、ＦＰＣ（Flexible  Printed  Circuits）１２ａ，１２ｂと、導光板１３と、反射フィルム１４と、線状光源１５とを備える。線状光源１５は、ＬＥＤ（Light  Emitting  Diode）１５ａ，１５ｂと、ライトバー１５ｃと、プリズムシート１５ｄと、拡散シート１５ｅとを備える。面状照明装置１は、例えば、自動車のハイマウントストップランプやループランプ等に用いられる。
【００１２】
ハウジングフレーム１１は、ＦＰＣ１２ａ，１２ｂ、導光板１３、反射フィルム１４、線状光源１５を保持し、収納する。ハウジングフレーム１１は、例えば、合成樹脂や金属で形成されている。なお、図１において、説明の便宜上、ハウジングフレーム１１のＺ軸のプラス方向側の部分の図示が省略されている。ハウジングフレーム１１には、開口部１１ａが形成されている。開口部１１ａから光が出射される。
【００１３】
ＦＰＣ１２ａは、ＬＥＤ１５ａが実装される基板である。ＦＰＣ１２ａは、ＬＥＤ１５ａが載置される面である実装面を有する。ＦＰＣ１２ｂは、ＬＥＤ１５ｂが実装される基板である。ＦＰＣ１２ｂは、ＬＥＤ１５ｂが載置される面である実装面を有する。
【００１４】
ＦＰＣ１２ａ，１２ｂには、図示しない駆動回路が接続されている。かかる駆動回路により、ＦＰＣ１２ａ，１２ｂを介して、ＬＥＤ１５ａ，１５ｂが駆動されて光を発する（ＬＥＤ１５ａ，１５ｂが点灯する）。
【００１５】
導光板１３は、透明材料（例えば、ポリカーボネート樹脂）を用いて上面視で矩形状に形成されている。導光板１３は、拡散シート１５ｅが配置される側の側面である入光面１３ａと、反射フィルム１４が配置される側の側面であり、入光面１３ａとは反対側の面である終端面１３ｂと、主面１３ｃとを有する。
【００１６】
導光板１３の入光面１３ａ及び導光板１３の終端面１３ｂは、Ｘ軸方向に延伸する短冊状の面である。入光面１３ａには、拡散シート１５ｅによって拡散された光が入射される。終端面１３ｂからは、入光面１３ａに入射され、導光板１３内を進んだ光の一部が漏れる。また、終端面１３ｂには、反射フィルム１４により反射された光が入射される。
【００１７】
導光板１３の主面１３ｃは、ＸＹ平面に沿って広がる矩形状の平面である。主面１３ｃは、入光面１３ａに入射された光が出射される出射面である。そのため、以下の説明では、「主面１３ｃ」を「出射面１３ｃ」と表記する場合がある。なお、出射面１３ｃから出射される光には、反射フィルム１４により反射された光、及び、反射フィルム１４により反射されていない光が含まれる。
【００１８】
導光板１３は、所望の透光性を有する。例えば、導光板１３は、全体が透けて、出射面１３ｃとは反対側の後述する主面１３ｄ（図９及び図１０参照）側に存在する物体が出射面１３ｃ側から視認できるような透光性を有する。
【００１９】
反射フィルム１４は、導光板１３の終端面１３ｂ側に配置され、終端面１３ｂから漏れる光を反射する。反射フィルム１４により反射された光は、終端面１３ｂから入射される。すなわち、反射フィルム１４は、導光板１３の入光面１３ａとは反対側の終端面１３ｂに対向し、終端面１３ｂから漏れる光を反射する。反射フィルム１４は、反射部材の一例である。
【００２０】
線状光源１５は、光を出射する。線状光源１５は、光源の一例である。
【００２１】
線状光源１５のＬＥＤ１５ａ，１５ｂは、点状の光源である。ＬＥＤ１５ａは、光を発する発光面１５ａ＿１を有し、ＬＥＤ１５ｂは、光を発する発光面１５ｂ＿１を有する。ＬＥＤ１５ａは、発光面１５ａ＿１がライトバー１５ｃの入光面１５ｃ＿１に対向した状態で、入光面１５ｃ＿１側に配置される。また、ＬＥＤ１５ｂは、発光面１５ｂ＿１がライトバー１５ｃの入光面１５ｃ＿２に対向した状態で、入光面１５ｃ＿２側に配置される。したがって、ＬＥＤ１５ａは、入光面１５ｃ＿１に入射される光を発し、ＬＥＤ１５ｂは、入光面１５ｃ＿２に入射される光を発する。
【００２２】
また、ＬＥＤ１５ａの発光面１５ａ＿１とは反対側の面がＦＰＣ１２ａの実装面に載置され、ＬＥＤ１５ｂの発光面１５ｂ＿１とは反対側の面がＦＰＣ１２ｂの実装面に載置される。すなわち、ＬＥＤ１５ａ，１５ｂは、トップビュー型のＬＥＤである。なお、ＬＥＤ１５ａ，１５ｂは、サイドビュー型のＬＥＤであってもよい。
【００２３】
ライトバー１５ｃは、点状の光源であるＬＥＤ１５ａ，１５ｂにより入射された光を線状の光に変換して導光板１３に向けて出射する。ライトバー１５ｃは、棒状に形成され、入光面１５ｃ＿１，１５ｃ＿２、出射面１５ｃ＿３、及び、出射面１５ｃ＿３とは反対側の面１５ｃ＿４を有する。ライトバー１５ｃの入光面１５ｃ＿１は、ライトバー１５ｃの長手方向（Ｘ軸方向）における一端側の端面である。入光面１５ｃ＿１には、ＬＥＤ１５ａが発した光が入射される。ライトバー１５ｃの入光面１５ｃ＿２は、ライトバー１５ｃの長手方向における他端側の端面である。入光面１５ｃ＿２には、ＬＥＤ１５ｂが発した光が入射される。ライトバー１５ｃの出射面１５ｃ＿３は、入射された光を出射する。
【００２４】
プリズムシート１５ｄは、光の配光を制御する。プリズムシート１５ｄは、ライトバー１５ｃの出射面１５ｃ＿３と拡散シート１５ｅとの間に配置される。プリズムシート１５ｄは、ライトバー１５ｃの出射面１５ｃ＿３と対向する一面１５ｄ＿１と、一面１５ｄ＿１とは反対側の面１５ｄ＿２とを有する。プリズムシート１５ｄは、ライトバー１５ｃから出射された光の配光を制御して出射する。
【００２５】
拡散シート１５ｅは、光を拡散する。拡散シート１５ｅは、プリズムシート１５ｄの面１５ｄ＿２と導光板１３の入光面１３ａとの間に配置される。拡散シート１５ｅは、プリズムシート１５ｄから出射された光を拡散し、拡散された光を導光板１３の入光面１３ａに向けて出射する。
【００２６】
ここで、線状光源１５（より具体的には、拡散シート１５ｅ）の輝度が均一な領域（厚み方向（Ｙ軸方向）に平均化し、幅方向（Ｚ軸方向）を１ｍｍ以下、好ましくは０．５ｍｍ以下の分解能で得られた輝度の最大値と最小値との比（最小値／最大値）が６０パーセント以上、好ましくは、８０パーセント以上となる領域）の長さ（Ｘ軸方向における寸法）が、導光板１３の入光面１３ａの長さ（Ｘ軸方向における寸法）以上であることが好ましい。
【００２７】
次に、図２〜図６を用いて、第１の実施形態に係るライトバー１５ｃについて説明する。図２は、第１の実施形態に係るライトバー１５ｃを説明するための図である。図２に示すように、ライトバー１５ｃは、ライトバー１５ｃの長手方向（Ｘ軸方向）において、入光面１５ｃ＿１から中心１５ｃ＿５（ライトバー１５ｃの長手方向における中心）に向かうにつれて、厚み（Ｙ軸方向における寸法）が小さくなる楔形状の第１部分１５ｃ＿６及び第２部分１５ｃ＿７を有する。また、ライトバー１５ｃは、ライトバー１５ｃの長手方向において、入光面１５ｃ＿２から中心１５ｃ＿５に向かうにつれて、厚みが小さくなる楔形状の第３部分１５ｃ＿８及び第４部分１５ｃ＿９を有する。図２に示すように、ＸＹ平面の断面視において、ライトバー１５ｃの形状は、中心１５ｃ＿５を通る線分であってＹ軸に平行な線分に対して線対称となる。
【００２８】
図２に示すように、第１部分１５ｃ＿６は、出射面１５ｃ＿３の一部、及び、出射面１５ｃ＿３の一部とは反対側の面１５ｃ＿１０を有する。第２部分１５ｃ＿７は、出射面１５ｃ＿３の一部、及び、出射面１５ｃ＿３の一部とは反対側の面１５ｃ＿１１を有する。第３部分１５ｃ＿８は、出射面１５ｃ＿３の一部、及び、出射面１５ｃ＿３の一部とは反対側の面１５ｃ＿１２を有する。第４部分１５ｃ＿９は、出射面１５ｃ＿３の一部、及び、出射面１５ｃ＿３の一部とは反対側の面１５ｃ＿１３を有する。
【００２９】
図３は、第１部分１５ｃ＿６及び第２部分１５ｃ＿７の一部の拡大図である。図３に示すように、ＸＹ平面の断面視において、プリズムシート１５ｄの面１５ｄ＿２（図１参照）に平行な仮想的な面（ＸＺ平面に平行な面）１５ｃ＿１４と面１５ｃ＿１０との成す角の角度φ１は、面１５ｄ＿２に平行な仮想的な面（ＸＺ平面に平行な面）１５ｃ＿１５と面１５ｃ＿１１との成す角の角度φ２よりも大きい。同様に、ＸＹ平面の断面視において、面１５ｄ＿２に平行な仮想的な面と面１５ｃ＿１２（図２参照）との成す角の角度は、面１５ｄ＿２に平行な仮想的な面と面１５ｃ＿１３（図２参照）との成す角の角度よりも大きい。
【００３０】
次に、図４及び図５を参照して、第１の実施形態に係るライトバー１５ｃの出射面１５ｃ＿３とは反対側の面１５ｃ＿４に形成されるプリズム１５ｃ＿１６を説明する。図４及び図５は、第１の実施形態に係るライトバー１５ｃの出射面１５ｃ＿３とは反対側の面１５ｃ＿４に形成されるプリズム１５ｃ＿１６を説明するための図である。ライトバー１５ｃの出射面１５ｃ＿３とは反対側の面１５ｃ＿４には、複数のプリズム１５ｃ＿１６がライトバー１５ｃの長手方向（Ｘ軸方向）に形成される。
【００３１】
図４は、図２に示すライトバー１５ｃの面１５ｃ＿４の長手方向（Ｘ軸方向）における中央付近の部分２１であって、中心１５ｃ＿５よりも入光面１５ｃ＿１側の部分２１に形成されるプリズム１５ｃ＿１６を説明するための図である。図５は、図２に示すライトバー１５ｃの面１５ｃ＿４の長手方向における入光面１５ｃ＿１側の部分２２に形成されるプリズム１５ｃ＿１６を説明するための図である。
【００３２】
図４に示すように、ライトバー１５ｃの中央付近の部分２１における面１５ｃ＿４には、複数のプリズム１５ｃ＿１６が、ライトバー１５ｃの長手方向（Ｘ軸方向）に並んで形成されている。プリズム１５ｃ＿１６は、第４領域１５ｃ＿１７と第５領域１５ｃ＿１８とを有する。第４領域１５ｃ＿１７は、入光面１５ｃ＿１（図２参照）から中心１５ｃ＿５（図２参照）に向かう方向において、徐々に、出射面１５ｃ＿３から離れる領域である。第５領域１５ｃ＿１８は、入光面１５ｃ＿１（図２参照）から中心１５ｃ＿５（図２参照）に向かう方向において、徐々に、出射面１５ｃ＿３に近づく領域である。一のプリズム１５ｃ＿１６の第５領域１５ｃ＿１８は、一のプリズム１５ｃ＿１６の第４領域１５ｃ＿１７に連続する。
【００３３】
図５に示すように、ライトバー１５ｃの入光面１５ｃ＿１側の部分２２における面１５ｃ＿４においても、同様に、複数のプリズム１５ｃ＿１６が、ライトバー１５ｃの長手方向（Ｘ軸方向）に並んで形成されている。
【００３４】
なお、ＸＹ平面の断面視における複数のプリズム１５ｃ＿１６の形状は、中心１５ｃ＿５を通る線分であって、Ｙ軸方向と平行な線分に対して、線対称となる。
【００３５】
ここで、ＸＹ平面の断面視におけるライトバー１５ｃの中心１５ｃ＿５におけるプリズム１５ｃ＿１６の第５領域１５ｃ＿１８と、プリズムシート１５ｄの面１５ｄ＿２に平行な仮想的な面１５ｃ＿１９との成す角の角度φ３（図４参照）は、ライトバー１５ｃの端（ライトバー１５ｃの長手方向における両端）におけるプリズム１５ｃ＿１６の第５領域１５ｃ＿１８と面１５ｃ＿１９との成す角の角度φ４（図５参照）よりも大きい。プリズム１５ｃ＿１６の第５領域１５ｃ＿１８と面１５ｃ＿１９との成す角の角度は、ライトバー１５ｃの中心１５ｃ＿５から端に向かうにつれて徐々に小さくなるように連続的に変化する。
【００３６】
また、ＸＹ平面の断面視における第４領域１５ｃ＿１７と第５領域１５ｃ＿１８との成す角の角度は、ライトバー１５ｃの中心１５ｃ＿５におけるプリズム１５ｃ＿１６及びライトバー１５ｃの端におけるプリズム１５ｃ＿１６で共通の角度φ５である。
【００３７】
ライトバー１５ｃの面１５ｃ＿４に形成されたプリズム１５ｃ＿１６により、ライトバー１５ｃの出射面１５ｃ＿３におけるＸ軸方向の配光（配光分布）及び輝度分布を容易に制御することができる。この結果、導光板１３の出射面１３ｃにおけるＸ軸方向の配光分布及び輝度分布を精度良く制御することができる。
【００３８】
次に、図６を参照して、第１の実施形態に係るライトバー１５ｃの出射面１５ｃ＿３に形成されるプリズム１５ｃ＿２０を説明する。図６は、第１の実施形態に係るライトバー１５ｃの出射面１５ｃ＿３に形成されるプリズム１５ｃ＿２０を説明するための図である。図６には、ライトバー１５ｃの側面が示されている。
【００３９】
図６に示すように、ライトバー１５ｃの出射面１５ｃ＿３に、複数のプリズム１５ｃ＿２０が、ライトバー１５ｃの幅方向（Ｚ軸方向）に並んで形成されている。プリズム１５ｃ＿２０は、第６領域１５ｃ＿２１と第７領域１５ｃ＿２２とを有する。第６領域１５ｃ＿２１は、ライトバー１５ｃの短手方向における一端１５ｃ＿２３（Ｚ軸のマイナス方向側の端）から他端１５ｃ＿２４（Ｚ軸のプラス方向側の端）に向かう方向において、徐々に、プリズムシート１５ｄの面１５ｄ＿２（図１参照）に近づく領域である。第７領域１５ｃ＿２２は、ライトバー１５ｃの短手方向における一端１５ｃ＿２３から他端１５ｃ＿２４に向かう方向において、徐々に、プリズムシート１５ｄの面１５ｄ＿２から離れる領域である。
【００４０】
また、ＹＺ平面の断面視において、第６領域１５ｃ＿２１と第７領域１５ｃ＿２２との成す角（プリズム１５ｃ＿２０の頂角）の角度φ６は、例えば、９０度である。また、第６領域１５ｃ＿２１とプリズムシート１５ｄの面１５ｄ＿２に平行な仮想的な面１５ｃ＿２５との成す角の角度φ７及び第７領域１５ｃ＿２２と面１５ｃ＿２５との成す角の角度φ８は、例えば、４５度である。
【００４１】
ここで、例えば、図６に示すように、ライトバー１５ｃに入射された光８０の進路が、プリズム１５ｃ＿２０によりＹ軸方向と平行な方向に変更されて、進路が変更された光８０がプリズムシート１５ｄの一面１５ｄ＿１（図１参照）に入射する。このように、プリズム１５ｃ＿２０により、Ｚ軸方向の配光が制御される。また、ライトバー１５ｃの出射面１５ｃ＿３とは反対側の面１５ｃ＿４に上述したプリズム１５ｃ＿１６が形成されているため、出射面１５ｃ＿３に形成されたプリズム１５ｃ＿２０の頂角の変更等により、ライトバー１５ｃの出射面１５ｃ＿３におけるＺ軸方向の配光（配光分布）及び輝度分布を容易に制御することができる。この結果、導光板１３の出射面１３ｃにおけるＹ軸方向の配光（配光分布）及び輝度分布を容易に制御することができる。
【００４２】
なお、プリズム１５ｃ＿２０の頂角の角度φ６を９０度にした場合に、導光板１３の出射面１３ｃにおけるＺ軸方向の配光が最も狭くなる。角度φ６を９０度よりも大きくすることで、導光板１３の出射面１３ｃにおけるＺ軸方向の配光が広くなる。
【００４３】
次に、図７Ａ、図７Ｂ及び図８を用いて、第１の実施形態に係るプリズムシート１５ｄについて説明する。図７Ａ、図７Ｂ及び図８は、第１の実施形態に係るプリズムシート１５ｄについて説明するための図である。
【００４４】
図７Ａ及び図７Ｂは、図１に示すプリズムシート１５ｄの長手方向（Ｘ軸方向）における中央付近に形成されるプリズム１５ｄ＿３について説明するための図である。図８は、図１に示すプリズムシート１５ｄの長手方向における一端側（Ｘ軸のマイナス方向側）に形成されるプリズム１５ｄ＿３について説明するための図である。プリズムシート１５ｄの一面１５ｄ＿１には、複数のプリズム１５ｄ＿３が、プリズムシート１５ｄの長手方向（Ｘ軸方向）に並んで形成されている。
【００４５】
図７Ａに示すように、プリズムシート１５ｄの長手方向における中央付近の一面１５ｄ＿１には、複数のプリズム１５ｄ＿３が、プリズムシート１５ｄの長手方向（Ｘ軸方向）に並んで形成されている。プリズム１５ｄ＿３は、第８領域１５ｄ＿４と第９領域１５ｄ＿５とを有する。第８領域１５ｄ＿４は、プリズムシート１５ｄの長手方向における一端（Ｘ軸のマイナス方向側の端）から中心に向かう方向において、徐々に、面１５ｄ＿２から離れる領域である。第９領域１５ｄ＿５は、プリズムシート１５ｄの長手方向における一端（Ｘ軸のマイナス方向側の端）から中心に向かう方向において、徐々に、面１５ｄ＿２に近づく領域である。一のプリズム１５ｄ＿３の第９領域１５ｄ＿５の一端は、一のプリズム１５ｄ＿３の第８領域１５ｄ＿４の一端に連続する。一のプリズム１５ｄ＿３の第９領域１５ｄ＿５の他端は、一のプリズム１５ｄ＿３に隣接する他のプリズム１５ｄ＿３の第８領域１５ｄ＿４に連続する。一のプリズム１５ｄ＿３の第８領域１５ｄ＿４の他端は、一のプリズム１５ｄ＿３に隣接する他のプリズム１５ｄ＿３の第９領域１５ｄ＿５に連続する。
【００４６】
図７Ａに示すように、プリズムシート１５ｄの一面１５ｄ＿１に入射された光８１の進路が、プリズム１５ｄ＿３によりＹ軸方向と平行な方向に変更されて、進路が変更された光８１が拡散シート１５ｅに入射する。より具体的には、例えば、プリズム１５ｄ＿３の第８領域１５ｄ＿４に入射された光８１が、第９領域１５ｄ＿５により面１５ｄ＿２に向けて反射される。このように、プリズム１５ｄ＿３により、Ｘ軸方向の配光が制御される。
【００４７】
図８に示すように、プリズムシート１５ｄの一面１５ｄ＿１の長手方向における一端側（Ｘ軸のマイナス方向側）においても、同様に、複数のプリズム１５ｄ＿３が、プリズムシート１５ｄの長手方向（Ｘ軸方向）に並んで形成されている。
【００４８】
なお、ＸＹ平面の断面視における複数のプリズム１５ｄ＿３の形状は、プリズムシート１５ｄの長手方向における中心を通る線分であって、Ｙ軸方向と平行な線分に対して、線対称となる。
【００４９】
ここで、ＸＹ平面の断面視において、プリズムシート１５ｄの長手方向における中心を含む中央部におけるプリズム１５ｄ＿３の第８領域１５ｄ＿４と、面１５ｄ＿２に平行な仮想的な面１５ｄ＿６との成す角の角度φ１０（図７Ａ参照）は、プリズムシート１５ｄの長手方向における端側のプリズム１５ｄ＿３の第８領域１５ｄ＿４と面１５ｄ＿６との成す角の角度φ１２（図８参照）よりも小さい。すなわち、Ｘ軸方向における一面１５ｄ＿１の中央部に形成されたプリズム１５ｄ＿３の第８領域１５ｄ＿４の面１５ｄ＿２に対する角度（傾斜角度）φ１０は、Ｘ軸方向における一面１５ｄ＿１の端部に形成された第８領域１５ｄ＿４の面１５ｄ＿２に対する角度（傾斜角度）φ１２よりも小さい。
【００５０】
また、ＸＹ平面の断面視において、プリズムシート１５ｄの長手方向における中心を含む中央部におけるプリズム１５ｄ＿３の第９領域１５ｄ＿５と、面１５ｄ＿６との成す角の角度φ１１（図７Ａ参照）は、プリズムシート１５ｄの長手方向における端側のプリズム１５ｄ＿３の第９領域１５ｄ＿５と面１５ｄ＿６との成す角の角度φ１３（図８参照）よりも大きい。すなわち、Ｘ軸方向における一面１５ｄ＿１の中央部に形成されたプリズム１５ｄ＿３の第９領域１５ｄ＿５の面１５ｄ＿２に対する角度（傾斜角度）φ１１は、Ｘ軸方向における一面１５ｄ＿１の端部に形成された第９領域１５ｄ＿５の面１５ｄ＿２に対する角度（傾斜角度）φ１３よりも大きい。
【００５１】
また、ＸＹ平面の断面視における第８領域１５ｄ＿４と第９領域１５ｄ＿５との成す角の角度は、プリズムシート１５ｄの長手方向における中心を含む中央部におけるプリズム１５ｄ＿３及びプリズムシート１５ｄの長手方向における端側のプリズム１５ｄ＿３で共通の角度φ９である。
【００５２】
なお、図７Ａに示すように、ＸＹ平面の断面視において、プリズムシート１５ｄの長手方向における中心を通る線分であってＹ軸方向と平行な線分である線分８３が、一のプリズム１５ｄ＿３の第８領域１５ｄ＿４と一のプリズム１５ｄ＿３の第９領域１５ｄ＿５との成す角を通る場合には、プリズムシート１５ｄの長手方向における中心を含む中央部におけるプリズム１５ｄ＿３の第８領域１５ｄ＿４と、面１５ｄ＿６との成す角の角度φ１０は、第９領域１５ｄ＿５と面１５ｄ＿６との成す角の角度φ１１と等しい。すなわち、ＸＹ平面の断面視において、中央部におけるプリズム１５ｄ＿３の形状は、二等辺三角形となる。
【００５３】
また、図７Ｂに示すように、ＸＹ平面の断面視において、プリズムシート１５ｄの長手方向における中心を通る線分であってＹ軸方向と平行な線分である線分７２が、一のプリズム１５ｄ＿３の第９領域１５ｄ＿５と、一のプリズム１５ｄ＿３に隣接する他のプリズム１５ｄ＿３の第８領域１５ｄ＿４との境界を通る場合には、プリズムシート１５ｄの長手方向における中心を含む中央部における一のプリズム１５ｄ＿３の第８領域１５ｄ＿４と面１５ｄ＿６との成す角の角度φ１０と、一のプリズム１５ｄ＿３の第９領域１５ｄ＿５と面１５ｄ＿６との成す角の角度φ１１と、他のプリズム１５ｄ＿３の第８領域１５ｄ＿４と面１５ｄ＿６との成す角の角度φ１０と、他のプリズム１５ｄ＿３の第９領域１５ｄ＿５と面１５ｄ＿６との成す角の角度φ１１とは等しい。すなわち、ＸＹ平面の断面視において、プリズムシート１５ｄの長手方向における中心を含む中央部における一のプリズム１５ｄ＿３及び他のプリズム１５ｄ＿３の形状は、二等辺三角形となる。
【００５４】
上述したように、ＸＹ平面の断面視における複数のプリズム１５ｄ＿３の形状は、プリズムシート１５ｄの長手方向における中心を通る線分であって、Ｙ軸方向と平行な線分に対して、線対称となる。このため、図８に示すように、Ｘ軸方向において、プリズムシート１５ｄの長手方向における中心よりもＬＥＤ１５ａ側に形成されたプリズム１５ｄ＿３により、ＬＥＤ１５ｂが発した光８２であって、一面１５ｄ＿１に入射された光８２の進路がＹ軸方向と平行な方向に変更されて、進路が変更された光８２が拡散シート１５ｅ（図１参照）に入射する。このように、プリズムシート１５ｄの長手方向における中心よりもＬＥＤ１５ａ側に形成されたプリズム１５ｄ＿３により、ＬＥＤ１５ｂが発した光の配光制御を行うことができる。同様に、Ｘ軸方向において、プリズムシート１５ｄの長手方向における中心よりもＬＥＤ１５ｂ側に形成されたプリズム１５ｄ＿３により、ＬＥＤ１５ａが発した光の配光制御を行うことができる。この結果、ライトバー１５ｃの両側に配置されたＬＥＤ１５ａ，１５ｂのうち、一方のＬＥＤが断線（消灯）して、他方のＬＥＤのみが点灯する場合であっても、ＬＥＤ１５ａ及びＬＥＤ１５ｂの両方のＬＥＤが点灯する場合の配光分布と略同等の配光分布を維持することができる。
【００５５】
なお、プリズムシート１５ｄの面１５ｄ＿２は、平面であるが、この面１５ｄ＿２に、図７Ａ、図７Ｂ及び図８に示すように、Ｘ軸方向に複数の凸レンズ３０が並んだレンチキュラレンズが設けられてもよい。凸レンズ３０と面１５ｄ＿２との接触角を大きくすることで、Ｘ軸方向の配光を大きくすることができる。このように、凸レンズ３０と面１５ｄ＿２との接触角を設定することで、Ｘ軸方向の配光（配光分布）を容易に制御することができる。この結果、導光板１３の出射面１３ｃにおけるＸ軸方向の配光（配光分布）を容易に制御することができる。
【００５６】
また、隣接する凸レンズ３０間のピッチ間隔を、隣接するプリズム１５ｄ＿３間のピッチ間隔よりも狭くすることで、Ｘ軸方向の輝度の均一性を容易に向上させることができる。この結果、導光板１３の出射面１３ｃにおけるＸ軸方向の輝度分布を容易に制御することができる。
【００５７】
次に、図９及び図１０を用いて、第１の実施形態に係る導光板１３について説明する。図９及び図１０は、第１の実施形態に係る導光板１３について説明するための図である。
【００５８】
図９に示すように、線状光源１５から出射されて導光板１３の入光面１３ａに入射された光は、照明用の光として出射面１３ｃから第１の方向７０に出射されたり、デザイン用の光として出射面１３ｃから第２の方向７１に出射されたりする。なお、第１の方向７０は、単一の方向ではなく、一定の範囲７０ａ内の方向である。同様に、第２の方向７１は、単一の方向ではなく、一定の範囲７１ａ内の方向である。また、照明用の光は、第１の光の一例であり、デザイン用の光は、第２の光の一例である。
【００５９】
図１０に示すように、導光板１３は、導光板１３の出射面１３ｃとは反対側の主面１３ｄ（反対面）を有する。導光板１３の主面１３ｄに、複数のプリズム１３ｅが、導光板１３の短手方向（Ｙ軸方向）に並んで形成されている。本実施形態では、複数のプリズム１３ｅは、入光面１３ａ（図１参照）から終端面１３ｂ（図１参照）にかけて（Ｙ軸のマイナス方向側からＹ軸のプラス方向側にかけて）、出射面１３ｃから段階的に離れるように形成されている。
【００６０】
プリズム１３ｅは、第１の領域１３ｇ及び第２の領域１３ｈを有する凸部１３ｆと、第３の領域１３ｉとを有する。凸部１３ｆは、出射面１３ｃとは反対側に突出する。プリズム１３ｅは、第１のプリズムの一例であり、凸部１３ｆは、第１の凸部の一例である。
【００６１】
第１の領域１３ｇは、反射フィルム１４（図１参照）により反射されて、終端面１３ｂから入光面１３ａに向かう光を、照明用の光として、出射面１３ｃから第１の方向７０（図９参照）に出射させる領域である。
【００６２】
例えば、第１の領域１３ｇは、導光板１３の入光面１３ａから終端面１３ｂに向かう方向（Ｙ軸のプラス方向）において、徐々に、出射面１３ｃから離れる領域である。
【００６３】
第１の領域１３ｇは、領域１３ｇ＿１及び領域１３ｇ＿２（複数の領域）を含む。領域１３ｇ＿１及び領域１３ｇ＿２は、平面である。出射面１３ｃに対する領域１３ｇ＿２の傾斜角度は、出射面１３ｃに対する領域１３ｇ＿１の傾斜角度よりも大きい。一のプリズム１３ｅの領域１３ｇ＿１の一端は、一のプリズム１３ｅの第３の領域１３ｉの一端に接続されている。また、一のプリズム１３ｅの領域１３ｇ＿１の他端は、一のプリズム１３ｅの領域１３ｇ＿２の一端に接続されている。一のプリズム１３ｅの領域１３ｇ＿２の他端は、一のプリズム１３ｅの後述する領域１３ｈ＿２に接続されている。
【００６４】
例えば、領域１３ｇ＿１は、反射フィルム１４により反射されて、終端面１３ｂから入光面１３ａに向かう光７３を反射して、照明用の光として、出射面１３ｃから第１の方向７０に出射させる。また、領域１３ｇ＿２は、反射フィルム１４により反射されて、終端面１３ｂから入光面１３ａに向かう光７４を反射して、照明用の光として、出射面１３ｃから第１の方向７０に出射させる。したがって、面状照明装置１は、出射面１３ｃに対する領域１３ｇ＿１，１３ｇ＿２の傾斜角度が調整されること等により、照明用の光の配光を制御することができる。なお、図９を参照して説明したように第１の方向７０は単一の方向ではなく一定の範囲７０ａ内の方向を指すが、領域１３ｇ＿１により出射面１３ｃから第１の方向７０に出射される光と、領域１３ｇ＿２により出射面１３ｃから第１の方向７０に出射される光とは、一定の範囲７０ａ内で、同一の方向に進む光であってもよいし、異なる方向に進む光であってもよい。
【００６５】
ここで、本実施形態では、第１の領域１３ｇにより、多くの光が反射されて配光制御されるように、複数のプリズム１３ｅが、入光面１３ａ（図１参照）から終端面１３ｂ（図１参照）にかけて出射面１３ｃから段階的に離れるように形成されている。したがって、面状照明装置１は、効率的に、照明用の光の配光を制御することができる。
【００６６】
第２の領域１３ｈは、入光面１３ａに入射された光であって、入光面１３ａから終端面１３ｂに向かう光の少なくとも一部を、デザイン用の光として、出射面１３ｃから第２の方向７１（図９参照）に出射させる領域である。
【００６７】
例えば、第２の領域１３ｈは、導光板１３の入光面１３ａから終端面１３ｂに向かう方向（Ｙ軸のプラス方向）において、徐々に、出射面１３ｃに近づく領域である。第２の領域１３ｈは、入光面１３ａに入射された光であって、入光面１３ａから終端面１３ｂに向かう光を反射して、出射面１３ｃから第２の方向７１に出射させる。
【００６８】
第２の領域１３ｈは、領域１３ｈ＿１及び領域１３ｈ＿２（複数の領域）を含む。領域１３ｈ＿１及び領域１３ｈ＿２は、平面である。出射面１３ｃに対する領域１３ｈ＿２の傾斜角度は、出射面１３ｃに対する領域１３ｈ＿１の傾斜角度よりも大きい。一のプリズム１３ｅの領域１３ｈ＿１の一端は、一のプリズム１３ｅに隣接する他のプリズム１３ｅの第３の領域１３ｉに接続されている。また、一のプリズム１３ｅの領域１３ｈ＿１の他端は、一のプリズム１３ｅの領域１３ｈ＿２の一端に接続されている。一のプリズム１３ｅの領域１３ｈ＿２の他端は、一のプリズム１３ｅの領域１３ｇ＿２に接続されている。
【００６９】
例えば、領域１３ｈ＿１は、入光面１３ａから終端面１３ｂに向かう光７５を反射して、デザイン用の光として、出射面１３ｃから第２の方向７１に出射させる。したがって、面状照明装置１は、出射面１３ｃに対する領域１３ｈ＿１の傾斜角度が調整されること等により、デザイン用の光の配光を制御することができる。ここで、領域１３ｈ＿２は、入光面１３ａから終端面１３ｂに向かう光７６を反射して、デザイン用の光ではなく、照明用の光として、出射面１３ｃから第１の方向７０に出射させる。
【００７０】
第３の領域１３ｉは、出射面１３ｃと平行又は略平行な領域である。図１１は、実施形態に係る出射面１３ｃに対する第３の領域１３ｉの傾斜角度の一例を説明するための図である。図１１の例に示すように、例えば、第３の領域１３ｉは、出射面１３ｃと平行な仮想的な領域１３ｊとの成す角の角度φ１４が、０度以上４度以下となる領域である。好ましくは、角度φ１４が、０度以上１度以下である。更に好ましくは、角度φ１４が、０度以上０．５度以下である。
【００７１】
上述したように、第３の領域１３ｉが、出射面１３ｃと平行又は略平行な領域であるため、導光板１３の出射面１３ｃとは反対側の主面１３ｄ側に存在する物体を出射面１３ｃ側から視認した場合に、視認される物体の物理的な連続性が高い。すなわち、視認される物体の歪みが抑制される。よって、導光板１３は、上述した所望の透光性を有する。
【００７２】
ここで、プリズム１３ｅのＹ軸方向における長さ（プリズム１３ｅのＹ軸方向における寸法）Ｌ４に対する第３の領域１３ｉのＹ軸方向における長さ（第３の領域１３ｉのＹ軸方向における寸法）Ｌ３の割合Ｐ１は、０．６（６０％）以上１．０（１００％）未満である。なお、割合Ｐ１は、下記の式（１）で表される。
Ｐ１＝Ｌ３／Ｌ４    式（１）
【００７３】
なお、長さＬ４は、第１の領域１３ｇのＹ軸方向における長さ（第１の領域１３ｇのＹ軸方向における寸法）Ｌ１と、第２の領域１３ｈのＹ軸方向における長さ（第２の領域１３ｈのＹ軸方向における寸法）Ｌ２と、長さＬ３との和であり、下記の式（２）で表される。
Ｌ４＝Ｌ１＋Ｌ２＋Ｌ３    式（２）
【００７４】
次に、図１２を参照して、第１の実施形態に係るプリズム１３ｅが形成される導光板１３を製造する際に用いる金型７７の製造方法の一例について説明する。図１２は、第１の実施形態に係るプリズム１３ｅが形成される導光板１３を製造する際に用いる金型７７の製造方法の一例について説明するための図である。
【００７５】
図１２に示すように、まず、工程１では、金型７７を階段状になるように切削加工する。このとき、金型７７の段差が、図１０に示す隣接する２つのプリズム１３ｅの２つの第３の領域１３ｉの間のＺ軸方向における距離と略同一となるように、金型７７を切削加工する。
【００７６】
そして、工程２では、プリズム１３ｅの凸部１３ｆ（図１０参照）の形状と同一の形状を有するバイト７８を用いて、金型７７の段差の部分を次々と切削加工する。このようにして製造された金型７７を用いれば、プリズム１３ｅが形成される導光板１３を製造（例えば、射出成形）することができる。
【００７７】
以上、第１の実施形態に係る面状照明装置１について説明した。面状照明装置１は、導光板１３と、反射フィルム１４とを備える。導光板１３は、線状光源１５から出射された光が入射される入光面１３ａ、及び、入光面１３ａに入射された光を出射する出射面１３ｃを有する。反射フィルム１４は、導光板１３の入光面１３ａとは反対側の終端面１３ｂに対向し、終端面１３ｂから漏れる光を反射する。導光板１３の出射面１３ｃとは反対側の主面１３ｄには、反射フィルム１４により反射されて終端面１３ｂから入光面１３ａに向かう光を、照明用の光として出射面１３ｃから第１の方向７０に出射させるとともに、入光面１３ａに入射された光であって入光面１３ａから終端面１３ｂに向かう光を、デザイン用の光として出射面１３ｃから第１の方向７０と異なる第２の方向７１に出射させる複数のプリズム１３ｅが、入光面１３ａから終端面１３ｂにかけて、出射面１３ｃから段階的に離れるように形成されている。
【００７８】
また、面状照明装置１では、プリズム１３ｅは、導光板１３の出射面１３ｃとは反対側に突出する凸部１３ｆを有する。凸部１３ｆは、入光面１３ａから終端面１３ｂに向かう方向において、徐々に、出射面１３ｃから離れる領域であって、終端面１３ｂから入光面１３ａに向かう光を照明用の光として出射面１３ｃから第１の方向７０に出射させる領域である第１の領域１３ｇを有する。第１の領域１３ｇは、複数の領域（複数の平面）１３ｇ＿１，１３ｇ＿２を含む。なお、第１の領域１３ｇは、１つの平面の領域又は１つの曲面の領域を含んでもよいし、３つ以上の複数の平面の領域を含んでもよいし、３つ以上の複数の曲面の領域を含んでもよい。また、第１の領域１３ｇは、１つ以上の平面の領域、及び、１つ以上の曲面の領域を含んでもよい。
【００７９】
また、面状照明装置１では、凸部１３ｆは、入光面１３ａから終端面１３ｂに向かう方向において、徐々に、出射面１３ｃに近づく領域であって、少なくとも、入光面１３ａから終端面１３ｂに向かう光を、デザイン用の光として出射面１３ｃから第２の方向７１に出射させる領域である第２の領域１３ｈを有する。第２の領域１３ｈは、複数の領域（複数の平面）１３ｈ＿１，１３ｈ＿２を含む。なお、第２の領域１３ｈは、１つの平面の領域又は１つの曲面の領域を含んでもよいし、３つ以上の複数の平面の領域を含んでもよいし、３つ以上の複数の曲面の領域を含んでもよい。また、第２の領域１３ｈは、１つ以上の平面の領域、及び、１つ以上の曲面の領域を含んでもよい。
【００８０】
また、面状照明装置１では、第２の領域１３ｈに含まれる複数の領域１３ｈ＿１，１３ｈ＿２のうち、１つ（領域１３ｈ＿２）は、入光面１３ａから終端面１３ｂに向かう光を、照明用の光として出射面１３ｃから第１の方向７０に出射させる。なお、面状照明装置１において、第２の領域１３ｈに２つ以上の複数の領域（複数の平面又は複数の曲面）が含まれる場合には、第２の領域１３ｈに含まれる複数の領域のうち、少なくとも１つが、入光面１３ａから終端面１３ｂに向かう光を、照明用の光として出射面１３ｃから第１の方向７０に出射させてもよい。
【００８１】
上述した構成を有する面状照明装置１によれば、上述したように、照明用の光の配光、及び、デザイン用の光の配光の２種類の光の配光を制御することができる。
【００８２】
ここで、図１３を参照して、第１の参考例の面状照明装置５００について説明する。図１３は、第１の参考例の面状照明装置５００の側面図である。図１３に示すように、第１の参考例に係る面状照明装置５００は、導光板５０１と、光源５０２ａ，５０２ｂとを備える。光源５０２ａ，５０２ｂは、光を出射するＬＥＤである。
【００８３】
導光板５０１は、入光面５０１ａ，５０１ｂと、出射面５０１ｃと、出射面５０１ｃとは反対側の主面５０１ｄとを有する。
【００８４】
入光面５０１ａには、光源５０２ａが出射した光５０３が入射される。入光面５０１ｂには、光源５０２ｂが出射した光５０４が入射される。
【００８５】
第１の参考例において、導光板５０１の出射面５０１ｃとは反対側の主面５０１ｄには、複数のプリズムが形成されている。例えば、第１の参考例に係るプリズムは、入光面５０１ｂから入光面５０１ａに向かう光５０４を、照明用の光として出射面５０１ｃから第３の方向５０５に出射させるとともに、入光面５０１ａから入光面５０１ｂに向かう光５０３を、デザイン用の光として出射面５０１ｃから第３の方向５０５と異なる第４の方向５０６に出射させる。なお、第３の方向５０５は、単一の方向ではなく、一定の範囲５０５ａ内の方向である。同様に、第４の方向５０６は、単一の方向ではなく、一定の範囲５０６ａ内の方向である。ここで、第１の参考例において、複数のプリズムのそれぞれと、出射面５０１ｃとの距離は、全て同一である。
【００８６】
第１の参考例に係る面状照明装置５００では、導光板５０１の両端に光源５０２ａ，５０２ｂを配置しているため、導光板５０１の導光長が比較的短い。また、複数のプリズムのそれぞれと、出射面５０１ｃとの距離が同一であるため、入光面５０１ｂから入光面５０１ａに向かう光５０４が、プリズムにより反射されにくくなる。したがって、第１の参考例に係る面状照明装置５００では、効率的に、照明用の光の配光を制御することが困難である。
【００８７】
一方、上述した第１の実施形態に係る面状照明装置１では、導光板１３の一端側に線状光源１５が配置され、他端側に厚さが比較的薄い反射フィルム１４が配置される。このため、導光板１３の導光長は、第１の参考例に係る導光板５０１の導光長よりも長い。また、第１の実施形態では、第１の領域１３ｇにより、多くの光が反射されて配光制御されるように、複数のプリズム１３ｅが、入光面１３ａから終端面１３ｂにかけて出射面１３ｃから段階的に離れるように形成されている。したがって、面状照明装置１は、第１の参考例に係る面状照明装置５００と比較して、効率的に、照明用の光の配光を制御することができる。
【００８８】
（第２の実施形態）
次に、図１４を参照して、第２の実施形態に係る面状照明装置１００について説明する。第２の実施形態の説明において、第１の実施形態に係る面状照明装置１と同様の構成については、同一の符号を付して説明を省略する。図１４は、第２の実施形態に係る導光板１３について説明するための図である。
【００８９】
図１４に示すように、導光板１３の主面１３ｄに、複数のプリズム１３ｅ，１３ｍが、導光板１３の短手方向（Ｙ軸方向）に、後述する発光パターン７９の明部７９ａ（図１５参照）及び暗部７９ｂ（図１５参照）に応じて形成されている。第２の実施形態では、複数のプリズム１３ｅ，１３ｍは、入光面１３ａ（図１参照）から終端面１３ｂ（図１参照）にかけて、出射面１３ｃから段階的に離れるように形成されている。
【００９０】
第２の実施形態に係るプリズム１３ｍは、入光面１３ａに入射された光であって入光面１３ａから終端面１３ｂに向かう光、及び、反射フィルム１４により反射されて終端面１３ｂから入光面１３ａに向かう光を、照明用の光として出射面１３ｃから第１の方向７０（図９参照）に出射させる。プリズム１３ｍは、出射面１３ｃとは反対側に突出する凸部１３ｎと、第３の領域１３ｉとを有する。凸部１３ｎは、第４の領域１３ｋと、領域（第５の領域）１３ｈ＿２とを有する。プリズム１３ｍは、第２のプリズムの一例であり、凸部１３ｎは、第２の凸部の一例である。
【００９１】
第４の領域１３ｋは、反射フィルム１４（図１参照）により反射されて、終端面１３ｂから入光面１３ａに向かう光を、照明用の光として、出射面１３ｃから第１の方向７０（図９参照）に出射させる領域である。
【００９２】
例えば、第４の領域１３ｋは、導光板１３の入光面１３ａから終端面１３ｂに向かう方向（Ｙ軸のプラス方向）において、徐々に、出射面１３ｃから離れる領域である。
【００９３】
第４の領域１３ｋは、領域１３ｋ＿１及び領域１３ｇ＿２（複数の領域）を含む。領域１３ｋ＿１は、平面である。出射面１３ｃに対する領域１３ｋ＿１の傾斜角度は、出射面１３ｃに対する領域１３ｇ＿１（図１０参照）の傾斜角度と同一である。ただし、領域１３ｋ＿１のＹ軸方向における長さは、領域１３ｇ＿１のＹ軸方向における長さよりも短い。また、領域１３ｋ＿１のＸ軸方向における長さも、領域１３ｇ＿１のＸ軸方向における長さよりも短い。
【００９４】
なお、第４の領域１３ｋは、１つの平面の領域又は１つの曲面の領域を含んでもよいし、３つ以上の複数の平面の領域を含んでもよいし、３つ以上の複数の曲面の領域を含んでもよい。また、第４の領域１３ｋは、１つ以上の平面の領域、及び、１つ以上の曲面の領域を含んでもよい。
【００９５】
同様に、プリズム１３ｍが、第５の領域１３ｈ＿２として、１つの平面の領域を含む場合について例示したが、第５の領域１３ｈ＿２は、１つの曲面の領域を含んでもよいし、３つ以上の複数の平面の領域を含んでもよいし、３つ以上の複数の曲面の領域を含んでもよい。また、第５の領域１３ｈ＿２は、１つ以上の平面の領域、及び、１つ以上の曲面の領域を含んでもよい。
【００９６】
一のプリズム１３ｍの領域１３ｋ＿１の一端は、一のプリズム１３ｍの第３の領域１３ｉの一端に接続されている。一のプリズム１３ｍの第３の領域１３ｉの他端は、一のプリズム１３ｍに隣接する他のプリズム１３ｍの領域１３ｈ＿２、又は、一のプリズム１３ｍに隣接するプリズム１３ｅの領域１３ｈ＿１（図１０参照）に接続されている。また、一のプリズム１３ｍの領域１３ｋ＿１の他端は、一のプリズム１３ｍの領域１３ｇ＿２の一端に接続されている。一のプリズム１３ｍの領域１３ｇ＿２の他端は、一のプリズム１３ｍの領域１３ｈ＿２の一端に接続されている。一のプリズム１３ｍの領域１３ｈ＿２の他端は、一のプリズム１３ｍに隣接するプリズム（プリズム１３ｍ又は１３ｅ）の第３の領域１３ｉに接続されている。
【００９７】
例えば、領域１３ｋ＿１は、反射フィルム１４により反射されて、終端面１３ｂから入光面１３ａに向かう光を反射して、照明用の光として、出射面１３ｃから第１の方向７０に出射させる。
【００９８】
プリズム１３ｅは、第１の実施形態において図９を参照して説明したように、デザイン用の光を出射面１３ｃから第２の方向７１（図９参照）に出射させる領域１３ｈ＿１を有するため、第２の方向７１から利用者が見た場合に、相対的に明るく感じる部分である。また、プリズム１３ｍは、デザイン用の光を出射面１３ｃから第２の方向７１に出射させる領域を有さないため、第２の方向７１から利用者が見た場合に、相対的に暗く感じる部分である。すなわち、プリズム１３ｍは、後述する暗部７９ｂ（図１５参照）に対応し、プリズム１３ｅは、後述する明部７９ａ（図１５参照）に対応する。
【００９９】
次に、図１５を参照して、第２の実施形態において、第２の方向７１（図９参照）から利用者が面状照明装置１００を観察した場合に利用者により観察される発光状態（発光パターン）の一例について説明する。図１５は、第２の実施形態において、第２の方向７１から利用者が面状照明装置１００を観察した場合の発光パターン７９の一例について説明するための図である。
【０１００】
図１５に示すように、利用者により観察される発光パターン７９は、輝度が相対的に高い明部７９ａと、輝度が相対的に低い暗部７９ｂとを有する。ここで、利用者は、利用者に向けて比較的光が出射されているプリズム１３ｅを観察することで明部７９ａを認識し、利用者に向けて比較的光が出射されていない上述したプリズム１３ｍを観察することで暗部７９ｂを認識する。すなわち、図１５において、明部７９ａの位置にはプリズム１３ｅが形成されており、暗部７９ｂの位置にはプリズム１３ｍが形成されている。より具体的には、図１５に示すように、例えば、明部７９ａに対応するプリズム１３ｅ及び暗部７９ｂに対応するプリズム１３ｍが交互にＸ軸方向に一列に並んだプリズム列が、Ｙ軸方向に、複数形成されている。また、図１５の例では、プリズム１３ｅ又はプリズム１３ｍが形成されるＸ軸方向の位置は、発光パターン７９の明部７９ａ又は暗部７９ｂの位置に対応するように、プリズム列ごとにずれている。ここで、Ｘ軸方向は、入光面１３ａから終端面１３ｂに向かう方向であり、第３の方向の一例である。また、Ｙ軸方向は、Ｘ軸方向に交差する方向であり、第４の方向の一例である。なお、図１５には、全てのプリズム１３ｅ，１３ｍが図示されているのではなく、一部のプリズム１３ｅ，１３ｍが図示されている。
【０１０１】
プリズム１３ｅ及びプリズム１３ｍの長さや数、配置位置等を調整することで、発光パターン７９の明部７９ａ及び暗部７９ｂの輝度を調整したり、発光パターンを変更したりすることができる。また、プリズム１３ｅにおける領域１３ｈ＿１の長さ（Ｙ軸方向における寸法）を調整することで、明部７９ａの明るさの階調を制御することができるため、デザインの表現性を向上することができる。
【０１０２】
なお、図１４の例では、第５の領域として、領域１３ｈ＿２が、入光面１３ａから終端面１３ｂに向かう光を照明用の光として出射面１３ｃから第１の方向７０に出射させる場合について説明した。しかしながら、第５の領域として、入光面１３ａから終端面１３ｂに向かう方向において徐々に出射面１３ｃに近づく領域であって、入光面１３ａから終端面１３ｂに向かう光を、デザイン用の光として出射面１３ｃから第２の方向７１に出射させ、かつ、図１０を参照して説明した第１の実施形態の第２の領域１３ｈのうち出射面１３ｃから第２の方向７１（図９参照）にデザイン用の光を出射させる領域１３ｈ＿１よりも小さい領域を採用してもよい。このような第５の領域を第２の方向７１から観察した場合に、第５の領域に対応する出射面１３ｃの部分の輝度は、第１の実施形態の第２の領域１３ｈに対応する出射面１３ｃの部分の輝度よりも小さくなる。そのため、このような第５の領域は、暗部７９ｂに対応する領域となる。
【０１０３】
次に、図１６を参照して、第２の実施形態に係るプリズム１３ｅ，１３ｍが形成される導光板１３を製造する際に用いる金型８４の製造方法の一例について説明する。図１６は、第２の実施形態に係るプリズム１３ｅ，１３ｍが形成される導光板１３を製造する際に用いる金型８４の製造方法の一例について説明するための図である。
【０１０４】
まず、図１２を参照して説明した第１の実施形態に係る金型７７の製造方法における工程１と同様に、金型８４を階段状になるように切削加工する。このとき、金型８４の段差が、図１４に示す隣接する２つのプリズムの２つの第３の領域１３ｉの間のＺ軸方向における距離と略同一となるように、金型８４を切削加工する。なお、この場合の隣接する２つのプリズムとしては、プリズム１３ｅとプリズム１３ｅ、プリズム１３ｅとプリズム１３ｍ、及び、プリズム１３ｍとプリズム１３ｍの３種類が挙げられる。
【０１０５】
そして、図１６に示すように、工程２では、凸部１３ｆ（図１０参照）の形状と同一の形状を有するバイト７８を用いて、金型８４の段差の部分を切削加工する。ただし、図１６に示すように、凸部１３ｎ（図１４参照）に対応する部分（図１６における右側の部分）では、バイト７８による切削の深さを浅くして、金型８４に、凸部１３ｎに対応する形状が形成されるようにする。このように、１本のバイト７８を使用して製造された金型８４を用いて、プリズム１３ｅ，１３ｍが形成される導光板１３を製造することができる。
【０１０６】
以上、第２の実施形態に係る面状照明装置１００について説明した。第２の実施形態に係る面状照明装置１００によれば、第１の実施形態と同様に、照明用の光の配光、及び、デザイン用の光の配光の２種類の光の配光を制御することができる。
【０１０７】
（第３の実施形態）
次に、図１７を参照して、第３の実施形態に係る面状照明装置１０１について説明する。第３の実施形態の説明において、第１の実施形態に係る面状照明装置１及び第２の実施形態に係る面状照明装置１００と同様の構成については、同一の符号を付して説明を省略する。図１７は、第３の実施形態に係る面状照明装置１０１が備える導光板１３について説明するための図である。
【０１０８】
図１７に示すように、第３の実施形態に係る導光板１３の主面１３ｄに、複数のプリズム１３ｐが、導光板１３の短手方向（Ｙ軸方向）に並んで形成されている。本実施形態では、複数のプリズム１３ｐは、入光面１３ａ（図１参照）から終端面１３ｂ（図１参照）にかけて（Ｙ軸のマイナス方向側からＹ軸のプラス方向側にかけて）、出射面１３ｃから段階的に離れるように形成されている。
【０１０９】
プリズム１３ｐは、第１の領域１３ｒ及び第２の領域１３ｓを有する凹部１３ｑと、第３の領域１３ｔとを有する。凹部１３ｑは、出射面１３ｃ側に凹んでいる。プリズム１３ｐは、第１のプリズムの一例であり、凹部１３ｑは、第１の凹部の一例である。
【０１１０】
第１の領域１３ｒは、反射フィルム１４（図１参照）により反射されて、終端面１３ｂから入光面１３ａに向かう光を、照明用の光として、出射面１３ｃから第１の方向７０（図９参照）に出射させる領域である。
【０１１１】
例えば、第１の領域１３ｒは、導光板１３の入光面１３ａから終端面１３ｂに向かう方向（Ｙ軸のプラス方向）において、徐々に、出射面１３ｃから離れる領域である。
【０１１２】
第１の領域１３ｒは、領域１３ｒ＿１及び領域１３ｒ＿２（複数の領域）を含む。領域１３ｒ＿１及び領域１３ｒ＿２は、平面である。出射面１３ｃに対する領域１３ｒ＿２の傾斜角度は、出射面１３ｃに対する領域１３ｒ＿１の傾斜角度よりも大きい。一のプリズム１３ｐの領域１３ｒ＿１の一端は、一のプリズム１３ｐの第２の領域１３ｓの後述する領域１３ｓ＿１に接続されている。また、一のプリズム１３ｐの領域１３ｒ＿１の他端は、一のプリズム１３ｐの領域１３ｒ＿２の一端に接続されている。一のプリズム１３ｐの領域１３ｒ＿２の他端は、一のプリズム１３ｐに隣接する他のプリズム１３ｐの第３の領域１３ｔに接続されている。
【０１１３】
例えば、領域１３ｒ＿１は、反射フィルム１４により反射されて、終端面１３ｂから入光面１３ａに向かう光８５を反射して、照明用の光として、出射面１３ｃから第１の方向７０に出射させる。また、領域１３ｒ＿２は、反射フィルム１４により反射されて、終端面１３ｂから入光面１３ａに向かう光８６を反射して、照明用の光として、出射面１３ｃから第１の方向７０に出射させる。したがって、面状照明装置１０１は、出射面１３ｃに対する領域１３ｒ＿１，１３ｒ＿２の傾斜角度が調整されること等により、照明用の光の配光を制御することができる。
【０１１４】
ここで、本実施形態では、第１の領域１３ｒにより、多くの光が反射されて配光制御されるように、複数のプリズム１３ｐが、入光面１３ａから終端面１３ｂにかけて出射面１３ｃから段階的に離れるように形成されている。したがって、面状照明装置１０１は、効率的に、照明用の光の配光を制御することができる。
【０１１５】
第２の領域１３ｓは、入光面１３ａに入射された光であって、入光面１３ａから終端面１３ｂに向かう光の少なくとも一部を、デザイン用の光として、出射面１３ｃから第２の方向７１（図９参照）に出射させる領域である。
【０１１６】
例えば、第２の領域１３ｓは、導光板１３の入光面１３ａから終端面１３ｂに向かう方向（Ｙ軸のプラス方向）において、徐々に、出射面１３ｃに近づく領域である。
【０１１７】
第２の領域１３ｓは、領域１３ｓ＿１及び領域１３ｓ＿２（複数の領域）を含む。領域１３ｓ＿１及び領域１３ｓ＿２は、平面である。出射面１３ｃに対する領域１３ｓ＿２の傾斜角度は、出射面１３ｃに対する領域１３ｓ＿１の傾斜角度よりも大きい。一のプリズム１３ｐの領域１３ｓ＿１の一端は、一のプリズム１３ｐの領域１３ｓ＿２の一端に接続されている。また、一のプリズム１３ｐの領域１３ｓ＿１の他端は、一のプリズム１３ｐの領域１３ｒ＿１の一端に接続されている。一のプリズム１３ｐの領域１３ｓ＿２の他端は、一のプリズム１３ｐの第３の領域１３ｔの一端に接続されている。一のプリズム１３ｐの第３の領域１３ｔの他端は、一のプリズム１３ｐに隣接する他のプリズム１３ｐの領域１３ｒ＿２に接続されている。
【０１１８】
例えば、領域１３ｓ＿１は、入光面１３ａから終端面１３ｂに向かう光８７を反射して、デザイン用の光として、出射面１３ｃから第２の方向７１に出射させる。したがって、面状照明装置１０１は、出射面１３ｃに対する領域１３ｓ＿１の傾斜角度が調整されること等により、デザイン用の光の配光を制御することができる。ここで、領域１３ｓ＿２は、入光面１３ａから終端面１３ｂに向かう光８８を反射して、デザイン用の光ではなく、照明用の光として、出射面１３ｃから第１の方向７０に出射させる。
【０１１９】
第３の領域１３ｔは、第１の実施形態に係る第３の領域１３ｉと同様に、出射面１３ｃと平行又は略平行な領域である。第３の領域１３ｔが、出射面１３ｃと平行又は略平行な領域であるため、導光板１３の出射面１３ｃとは反対側の主面１３ｄ側に存在する物体を出射面１３ｃ側から視認した場合に、視認される物体の物理的な連続性が高い。すなわち、視認される物体の歪みが抑制される。よって、第３の実施形態に係る導光板１３は、上述した所望の透光性を有する。
【０１２０】
次に、図１８を参照して、第３の実施形態に係るプリズム１３ｐが形成される導光板１３を製造する際に用いる金型８９の製造方法の一例について説明する。図１８は、第３の実施形態に係るプリズム１３ｐが形成される導光板１３を製造する際に用いる金型８９の製造方法の一例について説明するための図である。
【０１２１】
まず、図１２を参照して説明した第１の実施形態に係る金型７７の製造方法における工程１と同様に、金型８９を階段状になるように切削加工する。このとき、金型８９の段差が、図１７に示す隣接する２つのプリズム１３ｐの２つの第３の領域１３ｔの間のＺ軸方向における距離と略同一となるように、金型８９を切削加工する。
【０１２２】
そして、図１８に示すように、工程２では、プリズム１３ｐ（図１７参照）の形状と同一の形状を有するバイト９０を用いて、金型８９の段差と段差との間の部分を次々と切削加工する。このようにして製造された金型８９を用いれば、プリズム１３ｐが形成される導光板１３を製造することができる。
【０１２３】
以上、第３の実施形態に係る面状照明装置１０１について説明した。面状照明装置１０１では、導光板１３の出射面１３ｃとは反対側の主面１３ｄには、反射フィルム１４により反射されて終端面１３ｂから入光面１３ａに向かう光を、照明用の光として出射面１３ｃから第１の方向７０に出射させるとともに、入光面１３ａに入射された光であって入光面１３ａから終端面１３ｂに向かう光を、デザイン用の光として出射面１３ｃから第２の方向７１に出射させる複数のプリズム１３ｐが、入光面１３ａから終端面１３ｂにかけて、出射面１３ｃから段階的に離れるように形成されている。
【０１２４】
また、面状照明装置１０１では、プリズム１３ｐは、導光板１３の出射面１３ｃ側に凹む凹部１３ｑを有する。凹部１３ｑは、入光面１３ａから終端面１３ｂに向かう方向において、徐々に、出射面１３ｃから離れる領域であって、終端面１３ｂから入光面１３ａに向かう光を照明用の光として出射面１３ｃから第１の方向７０に出射させる領域である第１の領域１３ｒを有する。第１の領域１３ｒは、複数の領域（複数の平面）１３ｒ＿１，１３ｒ＿２を含む。
【０１２５】
また、面状照明装置１０１では、凹部１３ｑは、入光面１３ａから終端面１３ｂに向かう方向において、徐々に、出射面１３ｃに近づく領域であって、少なくとも、終端面１３ｂから入光面１３ａに向かう光を、デザイン用の光として出射面１３ｃから第２の方向７１に出射させる領域である第２の領域１３ｓを有する。第２の領域１３ｓは、複数の領域（複数の平面）１３ｓ＿１，１３ｓ＿２を含む。
【０１２６】
また、面状照明装置１０１では、第２の領域１３ｓに含まれる複数の領域１３ｓ＿１，１３ｓ＿２のうち、１つ（領域１３ｓ＿２）は、入光面１３ａから終端面１３ｂに向かう光を、照明用の光として出射面１３ｃから第１の方向７０に出射させる。
【０１２７】
上述した構成を有する面状照明装置１０１によれば、上述したように、照明用の光の配光、及び、デザイン用の光の配光の２種類の光の配光を制御することができる。
【０１２８】
（第４の実施形態）
次に、図１９を参照して、第４の実施形態に係る面状照明装置１０２について説明する。第４の実施形態の説明において、第１の実施形態に係る面状照明装置１、第２の実施形態に係る面状照明装置１００及び第３の実施形態に係る面状照明装置１０１と同様の構成については、同一の符号を付して説明を省略する。図１９は、第４の実施形態に係る面状照明装置１０２が備える導光板１３について説明するための図である。
【０１２９】
図１９に示すように、導光板１３の主面１３ｄに、複数のプリズム１３ｐ，１３ｕが、導光板１３の短手方向（Ｙ軸方向）に、第２の実施形態において図１５を参照して説明したように、発光パターン７９の明部７９ａ（図１５参照）及び暗部７９ｂ（図１５参照）に応じて形成されている。第４の実施形態では、複数のプリズム１３ｐ，１３ｕは、入光面１３ａ（図１参照）から終端面１３ｂ（図１参照）にかけて、出射面１３ｃから段階的に離れるように形成されている。
【０１３０】
第４の実施形態に係るプリズム１３ｕは、入光面１３ａに入射された光であって入光面１３ａから終端面１３ｂに向かう光、及び、反射フィルム１４により反射されて終端面１３ｂから入光面１３ａに向かう光を、照明用の光として出射面１３ｃから第１の方向７０（図９参照）に出射させる。プリズム１３ｕは、出射面１３ｃ側に凹む凹部１３ｘと、第３の領域１３ｔとを有する。凹部１３ｘは、第４の領域１３ｖ及び第５の領域１３ｗを有する。プリズム１３ｕは、第２のプリズムの一例であり、凹部１３ｘは、第２の凹部の一例である。
【０１３１】
第４の領域１３ｖは、反射フィルム１４（図１参照）により反射されて、終端面１３ｂから入光面１３ａに向かう光を、照明用の光として、出射面１３ｃから第１の方向７０（図９参照）に出射させる領域である。
【０１３２】
例えば、第４の領域１３ｖは、導光板１３の入光面１３ａから終端面１３ｂに向かう方向（Ｙ軸のプラス方向）において、徐々に、出射面１３ｃから離れる領域である。
【０１３３】
第４の領域１３ｖは、領域１３ｖ＿１及び領域１３ｒ＿２（複数の領域）を含む。領域１３ｖ＿１は、平面である。出射面１３ｃに対する領域１３ｖ＿１の傾斜角度は、出射面１３ｃに対する領域１３ｒ＿１（図１７参照）の傾斜角度と同一である。ただし、領域１３ｖ＿１のＹ軸方向における長さは、領域１３ｒ＿１のＹ軸方向における長さよりも短い。一のプリズム１３ｕの領域１３ｖ＿１の一端は、一のプリズム１３ｕの後述する領域１３ｗ＿１の一端に接続されている。また、一のプリズム１３ｕの領域１３ｖ＿１の他端は、一のプリズム１３ｕの領域１３ｒ＿２の一端に接続されている。一のプリズム１３ｕの領域１３ｒ＿２の他端は、一のプリズム１３ｕに隣接する他のプリズム（プリズム１３ｕ又はプリズム１３ｐ）の第３の領域１３ｔに接続されている。
【０１３４】
なお、第４の領域１３ｖは、１つの平面の領域又は１つの曲面の領域を含んでもよいし、３つ以上の複数の平面の領域を含んでもよいし、３つ以上の複数の曲面の領域を含んでもよい。また、第４の領域１３ｖは、１つ以上の平面の領域、及び、１つ以上の曲面の領域を含んでもよい。
【０１３５】
例えば、領域１３ｖ＿１及び領域１３ｒ＿２は、反射フィルム１４により反射されて、終端面１３ｂから入光面１３ａに向かう光を反射して、照明用の光として、出射面１３ｃから第１の方向７０に出射させる。したがって、面状照明装置１０２は、出射面１３ｃに対する領域１３ｖ＿１，１３ｒ＿２の傾斜角度が調整されること等により、照明用の光の配光を制御することができる。
【０１３６】
ここで、本実施形態では、第１の領域１３ｒ（図１７参照）及び第４の領域１３ｖにより、多くの光が反射されて配光制御されるように、複数のプリズム１３ｐ，１３ｕが、入光面１３ａから終端面１３ｂにかけて出射面１３ｃから段階的に離れるように形成されている。したがって、面状照明装置１０２は、効率的に、照明用の光の配光を制御することができる。
【０１３７】
第５の領域１３ｗは、入光面１３ａから終端面１３ｂに向かう光を、デザイン用の光として、出射面１３ｃから第２の方向７１（図９参照）にほとんど出射させない。
【０１３８】
例えば、第５の領域１３ｗは、導光板１３の入光面１３ａから終端面１３ｂに向かう方向（Ｙ軸のプラス方向）において、徐々に、一定距離、出射面１３ｃに近づいた後に、出射面１３ｃに沿う方向に延びる領域である。
【０１３９】
第５の領域１３ｗは、領域１３ｗ＿１及び領域１３ｓ＿２（複数の領域）を含む。領域１３ｗ＿１は、出射面１３ｃに平行又は略平行な平面である。一のプリズム１３ｕの領域１３ｗ＿１の一端は、一のプリズム１３ｕの領域１３ｖ＿１の一端に接続されている。一のプリズム１３ｕの領域１３ｗ＿１の他端は、一のプリズム１３ｕの領域１３ｓ＿２の一端に接続されている。また、一のプリズム１３ｕの領域１３ｓ＿２の他端は、一のプリズム１３ｕの第３の領域１３ｔの一端に接続されている。一のプリズム１３ｕの第３の領域１３ｔの他端は、一のプリズム１３ｕに隣接する他のプリズム１３ｕの領域１３ｒ＿２、又は、一のプリズム１３ｕに隣接するプリズム１３ｐの領域１３ｒ＿２に接続されている。
【０１４０】
なお、第５の領域１３ｗは、１つの平面の領域又は１つの曲面の領域を含んでもよいし、３つ以上の複数の平面の領域を含んでもよいし、３つ以上の複数の曲面の領域を含んでもよい。また、第５の領域１３ｗは、１つ以上の平面の領域、及び、１つ以上の曲面の領域を含んでもよい。
【０１４１】
例えば、領域１３ｗ＿１は、出射面１３ｃに平行又は略平行な平面であるため、導光板１３内を進む光を、照明用の光として、出射面１３ｃから第１の方向７０にほとんど出射させない。また、領域１３ｗ＿１は、導光板１３内を進む光を、デザイン用の光として、出射面１３ｃから第２の方向７１にほとんど出射させない。
【０１４２】
なお、第５の領域１３ｗに代えて、第５の領域として、入光面１３ａから終端面１３ｂに向かう方向において徐々に出射面１３ｃに近づく領域であって、入光面１３ａから終端面１３ｂに向かう光をデザイン用の光として出射面１３ｃから第２の方向７１に出射させ、かつ、図１７を参照して説明した第３の実施形態の第２の領域１３ｓのうち出射面１３ｃから第２の方向７１（図９参照）にデザイン用の光を出射させる領域１３ｓ＿１よりも小さい領域を採用してもよい。このような第５の領域を第２の方向７１から観察した場合に、第５の領域に対応する出射面１３ｃの部分の輝度は、第３の実施形態の第２の領域１３ｓに対応する出射面１３ｃの部分の輝度よりも小さくなる。そのため、このような第５の領域は、暗部７９ｂ（図１５参照）に対応する領域となる。
【０１４３】
プリズム１３ｐは、第３の実施形態において図１７を参照して説明したように、デザイン用の光を出射面１３ｃから第２の方向７１（図９参照）に出射させる領域１３ｓ＿１を有するため、第２の方向７１から利用者が見た場合に、相対的に明るく感じる部分である。また、プリズム１３ｕは、デザイン用の光を出射面１３ｃから第２の方向７１に出射させる領域を有さないため、第２の方向７１から利用者が見た場合に、相対的に暗く感じる部分である。すなわち、プリズム１３ｐは、上述した明部７９ａ（図１５参照）に対応し、プリズム１３ｕは、上述した暗部７９ｂ（図１５参照）に対応する。
【０１４４】
プリズム１３ｐ及びプリズム１３ｕの長さや数、配置位置等を調整したりすることで、面状照明装置１０２が表示する発光パターンの明部及び暗部の輝度を調整したり、発光パターンを変更したりすることができる。
【０１４５】
次に、図２０を参照して、第４の実施形態に係るプリズム１３ｐ，１３ｕが形成される導光板１３を製造する際に用いる金型９１の製造方法の一例について説明する。図２０は、第４の実施形態に係るプリズム１３ｐ，１３ｕが形成される導光板１３を製造する際に用いる金型９１の製造方法の一例について説明するための図である。
【０１４６】
まず、図１２を参照して説明した第１の実施形態に係る金型７７の製造方法における工程１と同様に、金型９１を階段状になるように切削加工する。このとき、金型９１の段差が、図１９に示す隣接する２つのプリズムの２つの第３の領域１３ｔの間のＺ軸方向における距離と略同一となるように、金型９１を切削加工する。なお、この場合の隣接する２つのプリズムとしては、プリズム１３ｐとプリズム１３ｐ、プリズム１３ｐとプリズム１３ｕ、及び、プリズム１３ｕとプリズム１３ｕの３種類が挙げられる。
【０１４７】
そして、図２０に示すように、工程２では、凹部１３ｑ（図１７参照）の形状と同一の形状を有するバイト９０を用いて、金型９１の段差と段差との間の部分を切削加工する。ただし、図２０に示すように、領域１３ｗ＿１（図１９参照）に対応する部分（図２０における右側の部分）については、バイト９０の平面部により平らに加工して、金型９１に、凹部１３ｘ（図１９参照）に対応する形状が形成されるようにする。このようにして製造された金型９１を用いれば、プリズム１３ｐ，１３ｕが形成される導光板１３を製造することができる。
【０１４８】
以上、第４の実施形態に係る面状照明装置１０２について説明した。第４の実施形態に係る面状照明装置１０２によれば、第１の実施形態と同様に、照明用の光の配光、及び、デザイン用の光の配光の２種類の光の配光を制御することができる。
【０１４９】
次に、図２１〜図３１を参照して、上述した第１の実施形態〜第４の実施形態に係る導光板１３に形成されたプリズム１３ｅ，１３ｍ，１３ｐ，１３ｕ以外のプリズムの例について説明する。図２１〜図３１は、他のプリズムの一例を説明するための図である。なお、図２１〜図３１を参照して他のプリズムの一例として説明するプリズム２０２〜２０９は、第１のプリズムの一例である。
【０１５０】
図２１には、導光板１３に形成されたプリズム２０２が示されている。導光板１３の主面１３ｄに、複数のプリズム２０２が、導光板１３の短手方向（Ｙ軸方向）に並んで形成されている。複数のプリズム２０２は、入光面１３ａ（図１参照）から終端面１３ｂ（図１参照）にかけて（Ｙ軸のマイナス方向側からＹ軸のプラス方向側にかけて）、出射面１３ｃから段階的に離れるように形成されている。
【０１５１】
プリズム２０２は、第１の領域２０２ａ及び第２の領域２０２ｂを有する凸部２０２ｆと、第３の領域２０２ｃとを有する。凸部２０２ｆは、出射面１３ｃとは反対側に突出する。凸部２０２ｆは、第１の凸部の一例である。
【０１５２】
一のプリズム２０２の第１の領域２０２ａの一端は、一のプリズム２０２の第３の領域２０２ｃの一端に接続されている。また、一のプリズム２０２の第１の領域２０２ａの他端は、一のプリズム２０２の第２の領域２０２ｂの一端に接続されている。一のプリズム２０２の第２の領域２０２ｂの他端は、一のプリズム２０２に隣接する他のプリズム２０２の第３の領域２０２ｃに接続されている。一のプリズム２０２の第３の領域２０２ｃの他端は、一のプリズム２０２に隣接する他のプリズム２０２の第２の領域２０２ｂに接続されている。
【０１５３】
第１の領域２０２ａは、反射フィルム１４（図１参照）により反射されて、終端面１３ｂから入光面１３ａに向かう光を、照明用の光として、出射面１３ｃから第１の方向７０（図９参照）に出射させる領域である。第１の領域２０２ａは、平面である。すなわち、第１の領域２０２ａは、平面を含む。
【０１５４】
例えば、第１の領域２０２ａは、導光板１３の入光面１３ａから終端面１３ｂに向かう方向（Ｙ軸のプラス方向）において、徐々に、出射面１３ｃから離れる領域である。第１の領域２０２ａは、反射フィルム１４により反射されて、終端面１３ｂから入光面１３ａに向かう光を、出射面１３ｃから第１の方向７０に出射させる。
【０１５５】
例えば、第１の領域２０２ａは、反射フィルム１４により反射されて、終端面１３ｂから入光面１３ａに向かう光２０２ｄを反射して、照明用の光として、出射面１３ｃから第１の方向７０に出射させる。したがって、プリズム２０２が形成された導光板１３を備える面状照明装置は、出射面１３ｃに対する第１の領域２０２ａの傾斜角度が調整されること等により、照明用の光の配光を制御することができる。
【０１５６】
ここで、第１の領域２０２ａにより、多くの光が反射されて配光制御されるように、複数のプリズム２０２が、入光面１３ａから終端面１３ｂにかけて出射面１３ｃから段階的に離れるように形成されている。したがって、プリズム２０２が形成された導光板１３を備える面状照明装置は、効率的に、照明用の光の配光を制御することができる。
【０１５７】
第２の領域２０２ｂは、入光面１３ａに入射された光であって、入光面１３ａから終端面１３ｂに向かう光を、デザイン用の光として、出射面１３ｃから第２の方向７１（図９参照）に出射させる領域である。第２の領域２０２ｂは、平面である。すなわち、第２の領域２０２ｂは、平面を含む。
【０１５８】
例えば、第２の領域２０２ｂは、導光板１３の入光面１３ａから終端面１３ｂに向かう方向（Ｙ軸のプラス方向）において、徐々に、出射面１３ｃに近づく領域である。第２の領域２０２ｂは、入光面１３ａに入射された光であって、入光面１３ａから終端面１３ｂに向かう光を反射して、出射面１３ｃから第２の方向７１に出射させる。
【０１５９】
例えば、第２の領域２０２ｂは、入光面１３ａから終端面１３ｂに向かう光２０２ｅを反射して、デザイン用の光として、出射面１３ｃから第２の方向７１に出射させる。したがって、プリズム２０２が形成された導光板１３を備える面状照明装置は、出射面１３ｃに対する第２の領域２０２ｂの傾斜角度が調整されること等により、デザイン用の光の配光を制御することができる。
【０１６０】
第３の領域２０２ｃは、第１の実施形態に係る第３の領域１３ｉと同様に、出射面１３ｃと平行又は略平行な領域である。したがって、導光板１３の出射面１３ｃとは反対側の主面１３ｄ側に存在する物体を出射面１３ｃ側から視認した場合に、視認される物体の物理的な連続性が高い。すなわち、視認される物体の歪みが抑制される。よって、導光板１３は、上述した所望の透光性を有する。
【０１６１】
図２２には、導光板１３に形成されたプリズム２０３が示されている。複数のプリズム２０３は、図２１を参照して説明した複数のプリズム２０２と同様に、導光板１３に形成されている。
【０１６２】
プリズム２０３は、第１の領域２０３ａ及び第２の領域２０３ｂを有する凹部２０３ｈと、第３の領域２０３ｃとを有する。凹部２０３ｈは、出射面１３ｃ側に凹んでいる。凹部２０３ｈは、第１の凹部の一例である。
【０１６３】
一のプリズム２０３の第１の領域２０３ａの一端は、一のプリズム２０３の第２の領域２０３ｂの一端に接続されている。また、一のプリズム２０３の第１の領域２０３ａの他端は、一のプリズム２０３に隣接する他のプリズム２０３の第３の領域２０３ｃに接続されている。一のプリズム２０３の第２の領域２０３ｂの他端は、一のプリズム２０３の第３の領域２０３ｃの一端に接続されている。一のプリズム２０３の第３の領域２０３ｃの他端は、一のプリズム２０３に隣接する他のプリズム２０３の第１の領域２０３ａに接続されている。
【０１６４】
第１の領域２０３ａは、反射フィルム１４（図１参照）により反射されて、終端面１３ｂから入光面１３ａに向かう光を、照明用の光として、出射面１３ｃから第１の方向７０（図９参照）に出射させる領域である。第１の領域２０３ａは、外側に突出する曲面である。第１の領域２０３ａの形状は、半径が「Ｒ１」で、中心角が「φ３００」の円弧が示す形状である。
【０１６５】
例えば、第１の領域２０３ａは、導光板１３の入光面１３ａから終端面１３ｂに向かう方向（Ｙ軸のプラス方向）において、徐々に、出射面１３ｃから離れる領域である。
【０１６６】
例えば、第１の領域２０３ａは、反射フィルム１４により反射されて、終端面１３ｂから入光面１３ａに向かう光２０３ｄを反射して、照明用の光として、出射面１３ｃから第１の方向７０に出射させる。したがって、プリズム２０３が形成された導光板１３を備える面状照明装置は、出射面１３ｃに対する第１の領域２０３ａの傾斜角度が調整されること等により、照明用の光の配光を制御することができる。
【０１６７】
また、第１の領域２０３ａは、曲面であるため、照明用の光として、出射面１３ｃから第１の方向７０に出射させる光の配光を広くすることができる。例えば、図２２の例では、第１の領域２０３ａは、光２０３ｄの進行方向を所定の角度の範囲２０３ｆ内で出射面１３ｃに向けて変更することができる。したがって、プリズム２０３が形成された導光板１３を備える面状照明装置は、照明用の光の配光を細やかに制御することができる。
【０１６８】
ここで、第１の領域２０３ａにより、多くの光が反射されて配光制御されるように、複数のプリズム２０３が、入光面１３ａから終端面１３ｂにかけて出射面１３ｃから段階的に離れるように形成されている。したがって、プリズム２０３が形成された導光板１３を備える面状照明装置は、効率的に、照明用の光の配光を制御することができる。
【０１６９】
第２の領域２０３ｂは、入光面１３ａに入射された光であって、入光面１３ａから終端面１３ｂに向かう光を、デザイン用の光として、出射面１３ｃから第２の方向７１（図９参照）に出射させる領域である。第２の領域２０３ｂは、外側に突出する曲面である。第２の領域２０３ｂの形状は、半径が「Ｒ２」で、中心角が「φ３０１」の円弧が示す形状である。
【０１７０】
例えば、第２の領域２０３ｂは、導光板１３の入光面１３ａから終端面１３ｂに向かう方向（Ｙ軸のプラス方向）において、徐々に、出射面１３ｃに近づく領域である。
【０１７１】
例えば、第２の領域２０３ｂは、入光面１３ａから終端面１３ｂに向かう光２０３ｅを反射して、デザイン用の光として、出射面１３ｃから第２の方向７１に出射させる。したがって、プリズム２０３が形成された導光板１３を備える面状照明装置は、出射面１３ｃに対する第２の領域２０３ｂの傾斜角度が調整されること等により、デザイン用の光の配光を制御することができる。
【０１７２】
また、第２の領域２０３ｂは、曲面であるため、デザイン用の光として、出射面１３ｃから第２の方向７１に出射させる光の配光を広くすることができる。例えば、図２２の例では、第２の領域２０３ｂは、光２０３ｅの進行方向を所定の角度の範囲２０３ｇ内で出射面１３ｃに向けて変更することができる。したがって、プリズム２０３が形成された導光板１３を備える面状照明装置は、デザイン用の光の配光を細やかに制御することができる。
【０１７３】
第３の領域２０３ｃは、第１の実施形態に係る第３の領域１３ｉと同様に、出射面１３ｃと平行又は略平行な領域である。したがって、導光板１３の出射面１３ｃとは反対側の主面１３ｄ側に存在する物体を出射面１３ｃ側から視認した場合に、視認される物体の物理的な連続性が高い。すなわち、視認される物体の歪みが抑制される。よって、導光板１３は、上述した所望の透光性を有する。
【０１７４】
なお、図２２を参照して、ＹＺ平面の断面視において、第３の領域２０３ｃの形状が示す線分が、第１の領域２０３ａの形状が示す円弧に接する接線ではなく、第２の領域２０３ｂの形状が示す円弧に接する接線ではない場合について説明した。しかしながら、図２３の例に示すように、ＹＺ平面の断面視において、第３の領域２０３ｃの形状が示す線分が、第１の領域２０３ａの形状が示す円弧に接する接線であり、第２の領域２０３ｂの形状が示す円弧に接する接線であってもよい。なお、図２３の例では、第１の領域２０３ａの形状は、半径が「Ｒ３」で、中心角が「φ３０２」の円弧が示す形状である。また、第２の領域２０３ｂの形状は、半径が「Ｒ４」で、中心角が「φ３０３」の円弧が示す形状である。また、第３の領域２０３ｃの形状が示す線分が、第１の領域２０３ａの形状が示す円弧、及び、第２の領域２０３ｂの形状が示す円弧の少なくとも一方に接する接線であってもよい。
【０１７５】
図２４には、導光板１３に形成されたプリズム２０４が示されている。複数のプリズム２０４は、図２１を参照して説明した複数のプリズム２０２と同様に、導光板１３に形成されている。
【０１７６】
プリズム２０４は、第１の領域２０４ａ及び第２の領域２０４ｂを有する凸部２０４ｄと、第３の領域２０４ｃとを有する。凸部２０４ｄは、出射面１３ｃとは反対側に突出する。凸部２０４ｄは、第１の凸部の一例である。
【０１７７】
一のプリズム２０４の第１の領域２０４ａの一端は、一のプリズム２０４の第３の領域２０４ｃの一端に接続されている。また、一のプリズム２０４の第１の領域２０４ａの他端は、一のプリズム２０４の第２の領域２０４ｂの一端に接続されている。一のプリズム２０４の第２の領域２０４ｂの他端は、一のプリズム２０４に隣接する他のプリズム２０４の第３の領域２０４ｃに接続されている。一のプリズム２０４の第３の領域２０４ｃの他端は、一のプリズム２０４に隣接する他のプリズム２０４の第２の領域２０４ｂに接続されている。
【０１７８】
第１の領域２０４ａは、反射フィルム１４（図１参照）により反射されて、終端面１３ｂから入光面１３ａに向かう光を、照明用の光として、出射面１３ｃから第１の方向７０（図９参照）に出射させる領域である。第１の領域２０４ａは、外側に突出する曲面である。第１の領域２０４ａの形状は、半径が「Ｒ５」で、中心角が「φ３０４ａ」の円弧が示す形状である。
【０１７９】
例えば、第１の領域２０４ａは、導光板１３の入光面１３ａから終端面１３ｂに向かう方向（Ｙ軸のプラス方向）において、徐々に、出射面１３ｃから離れる領域である。
【０１８０】
例えば、第１の領域２０４ａは、反射フィルム１４により反射されて、終端面１３ｂから入光面１３ａに向かう光を反射して、照明用の光として、出射面１３ｃから第１の方向７０に出射させる。したがって、プリズム２０４が形成された導光板１３を備える面状照明装置は、出射面１３ｃに対する第１の領域２０４ａの傾斜角度が調整されること等により、照明用の光の配光を制御することができる。
【０１８１】
また、第１の領域２０４ａは、曲面であるため、照明用の光として、出射面１３ｃから第１の方向７０に出射させる光の配光を広くすることができる。したがって、プリズム２０４が形成された導光板１３を備える面状照明装置は、照明用の光の配光を細やかに制御することができる。
【０１８２】
ここで、第１の領域２０４ａにより、多くの光が反射されて配光制御されるように、複数のプリズム２０４が、入光面１３ａから終端面１３ｂにかけて出射面１３ｃから段階的に離れるように形成されている。したがって、プリズム２０４が形成された導光板１３を備える面状照明装置は、効率的に、照明用の光の配光を制御することができる。
【０１８３】
第２の領域２０４ｂは、入光面１３ａに入射された光であって、入光面１３ａから終端面１３ｂに向かう光を、デザイン用の光として、出射面１３ｃから第２の方向７１（図９参照）に出射させる領域である。第２の領域２０４ｂは、外側に突出する曲面である。第２の領域２０４ｂの形状は、半径が「Ｒ５」で、中心角が「φ３０４ｂ」の円弧が示す形状である。
【０１８４】
例えば、第２の領域２０４ｂは、導光板１３の入光面１３ａから終端面１３ｂに向かう方向（Ｙ軸のプラス方向）において、徐々に、出射面１３ｃに近づく領域である。第２の領域２０４ｂは、入光面１３ａに入射された光であって、入光面１３ａから終端面１３ｂに向かう光を反射して、出射面１３ｃから第２の方向７１に出射させる。したがって、プリズム２０４が形成された導光板１３を備える面状照明装置は、出射面１３ｃに対する第２の領域２０４ｂの傾斜角度が調整されること等により、デザイン用の光の配光を制御することができる。
【０１８５】
また、第２の領域２０４ｂは、曲面であるため、デザイン用の光として、出射面１３ｃから第２の方向７１に出射させる光の配光を広くすることができる。したがって、プリズム２０４が形成された導光板１３を備える面状照明装置は、デザイン用の光の配光を細やかに制御することができる。
【０１８６】
第３の領域２０４ｃは、第１の実施形態に係る第３の領域１３ｉと同様に、出射面１３ｃと平行又は略平行な領域である。したがって、導光板１３の出射面１３ｃとは反対側の主面１３ｄ側に存在する物体を出射面１３ｃ側から視認した場合に、視認される物体の物理的な連続性が高い。すなわち、視認される物体の歪みが抑制される。よって、導光板１３は、上述した所望の透光性を有する。
【０１８７】
なお、図２４を参照して、ＹＺ平面の断面視において、一の凸部２０４ｄの第１の領域２０４ａの形状が示す円弧の半径「Ｒ５」及び中心の位置と、一の凸部２０４ｄの第２の領域２０４ｂの形状が示す円弧の半径「Ｒ５」及び中心の位置とが同一である場合について説明した。しかしながら、図２５の例に示すように、ＹＺ平面の断面視において、一の凸部２０４ｄの第１の領域２０４ａの形状が示す円弧の半径「Ｒ６」及び中心の位置と、一の凸部２０４ｄの第２の領域２０４ｂの形状が示す円弧の半径「Ｒ７」及び中心の位置とが異なっていてもよい。なお、図２５の例において、第１の領域２０４ａの形状が示す円弧の中心角は、「φ３０５」であり、第２の領域２０４ｂの形状が示す円弧の中心角は、「φ３０６」である。
【０１８８】
図２６には、導光板１３に形成されたプリズム２０５が示されている。複数のプリズム２０５は、図２１を参照して説明した複数のプリズム２０２と同様に、導光板１３に形成されている。
【０１８９】
プリズム２０５は、第１の領域２０５ａ及び第２の領域２０５ｂを有する凹部２０５ｄと、第３の領域２０５ｃとを有する。凹部２０５ｄは、出射面１３ｃ側に凹んでいる。凹部２０５ｄは、第１の凹部の一例である。
【０１９０】
一のプリズム２０５の第１の領域２０５ａの一端は、一のプリズム２０５の第２の領域２０５ｂの一端に接続されている。また、一のプリズム２０５の第１の領域２０５ａの他端は、一のプリズム２０５に隣接する他のプリズム２０５の第３の領域２０５ｃに接続されている。一のプリズム２０５の第２の領域２０５ｂの他端は、一のプリズム２０５の第３の領域２０５ｃの一端に接続されている。一のプリズム２０５の第３の領域２０５ｃの他端は、一のプリズム２０５に隣接する他のプリズム２０５の第１の領域２０５ａに接続されている。
【０１９１】
第１の領域２０５ａは、反射フィルム１４（図１参照）により反射されて、終端面１３ｂから入光面１３ａに向かう光を、照明用の光として、出射面１３ｃから第１の方向７０（図９参照）に出射させる領域である。第１の領域２０５ａは、平面である。すなわち、第１の領域２０５ａは、平面を含む。
【０１９２】
例えば、第１の領域２０５ａは、導光板１３の入光面１３ａから終端面１３ｂに向かう方向（Ｙ軸のプラス方向）において、徐々に、出射面１３ｃから離れる領域である。
【０１９３】
例えば、第１の領域２０５ａは、反射フィルム１４により反射されて、終端面１３ｂから入光面１３ａに向かう光を反射して、照明用の光として、出射面１３ｃから第１の方向７０に出射させる。したがって、プリズム２０５が形成された導光板１３を備える面状照明装置は、出射面１３ｃに対する第１の領域２０５ａの傾斜角度が調整されること等により、照明用の光の配光を制御することができる。
【０１９４】
ここで、第１の領域２０５ａにより、多くの光が反射されて配光制御されるように、複数のプリズム２０５が、入光面１３ａから終端面１３ｂにかけて出射面１３ｃから段階的に離れるように形成されている。したがって、プリズム２０５が形成された導光板１３を備える面状照明装置は、効率的に、照明用の光の配光を制御することができる。
【０１９５】
第２の領域２０５ｂは、入光面１３ａに入射された光であって、入光面１３ａから終端面１３ｂに向かう光を、デザイン用の光として、出射面１３ｃから第２の方向７１（図９参照）に出射させる領域である。第２の領域２０５ｂは、平面である。すなわち、第２の領域２０５ｂは、平面を含む。
【０１９６】
例えば、第２の領域２０５ｂは、導光板１３の入光面１３ａから終端面１３ｂに向かう方向（Ｙ軸のプラス方向）において、徐々に、出射面１３ｃに近づく領域である。第２の領域２０５ｂは、入光面１３ａに入射された光であって、入光面１３ａから終端面１３ｂに向かう光を反射して、出射面１３ｃから第２の方向７１に出射させる。したがって、プリズム２０５が形成された導光板１３を備える面状照明装置は、出射面１３ｃに対する第２の領域２０５ｂの傾斜角度が調整されること等により、デザイン用の光の配光を制御することができる。
【０１９７】
第３の領域２０５ｃは、第１の実施形態に係る第３の領域１３ｉと同様に、出射面１３ｃと平行又は略平行な領域である。したがって、導光板１３の出射面１３ｃとは反対側の主面１３ｄ側に存在する物体を出射面１３ｃ側から視認した場合に、視認される物体の物理的な連続性が高い。すなわち、視認される物体の歪みが抑制される。よって、導光板１３は、上述した所望の透光性を有する。
【０１９８】
図２７には、導光板１３に形成されたプリズム２０６が示されている。複数のプリズム２０６は、図２１を参照して説明した複数のプリズム２０２と同様に、導光板１３に形成されている。
【０１９９】
プリズム２０６は、第１の領域２０６ａ及び第２の領域２０６ｂを有する凹部２０６ｄと、第３の領域２０６ｃとを有する。凹部２０６ｄは、出射面１３ｃ側に凹んでいる。凹部２０６ｄは、第１の凹部の一例である。
【０２００】
一のプリズム２０６の第１の領域２０６ａの一端は、一のプリズム２０６の第２の領域２０６ｂの一端に接続されている。また、一のプリズム２０６の第１の領域２０６ａの他端は、一のプリズム２０６に隣接する他のプリズム２０６の第３の領域２０６ｃに接続されている。一のプリズム２０６の第２の領域２０６ｂの他端は、一のプリズム２０６の第３の領域２０６ｃの一端に接続されている。一のプリズム２０６の第３の領域２０６ｃの他端は、一のプリズム２０６に隣接する他のプリズム２０６の第１の領域２０６ａに接続されている。
【０２０１】
第１の領域２０６ａは、反射フィルム１４（図１参照）により反射されて、終端面１３ｂから入光面１３ａに向かう光を、照明用の光として、出射面１３ｃから第１の方向７０（図９参照）に出射させる領域である。第１の領域２０６ａは、内側に凹む曲面である。すなわち、第１の領域２０６ａは、曲面を含む。第１の領域２０６ａの形状は、半径が「Ｒ８」で、中心角が「φ３０７ａ」の円弧が示す形状である。
【０２０２】
例えば、第１の領域２０６ａは、導光板１３の入光面１３ａから終端面１３ｂに向かう方向（Ｙ軸のプラス方向）において、徐々に、出射面１３ｃから離れる領域である。
【０２０３】
例えば、第１の領域２０６ａは、反射フィルム１４により反射されて、終端面１３ｂから入光面１３ａに向かう光を反射して、照明用の光として、出射面１３ｃから第１の方向７０に出射させる。したがって、プリズム２０６が形成された導光板１３を備える面状照明装置は、出射面１３ｃに対する第１の領域２０６ａの傾斜角度が調整されること等により、照明用の光の配光を制御することができる。
【０２０４】
また、第１の領域２０６ａは、曲面であるため、照明用の光として、出射面１３ｃから第１の方向７０に出射させる光の配光を広くすることができる。したがって、プリズム２０６が形成された導光板１３を備える面状照明装置は、照明用の光の配光を細やかに制御することができる。
【０２０５】
ここで、第１の領域２０６ａにより、多くの光が反射されて配光制御されるように、複数のプリズム２０６が、入光面１３ａから終端面１３ｂにかけて出射面１３ｃから段階的に離れるように形成されている。したがって、プリズム２０６が形成された導光板１３を備える面状照明装置は、効率的に、照明用の光の配光を制御することができる。
【０２０６】
第２の領域２０６ｂは、入光面１３ａに入射された光であって、入光面１３ａから終端面１３ｂに向かう光を、デザイン用の光として、出射面１３ｃから第２の方向７１（図９参照）に出射させる領域である。第２の領域２０６ｂは、内側に凹む曲面である。すなわち、第２の領域２０６ｂは、曲面を含む。第２の領域２０６ｂの形状は、半径が「Ｒ８」で、中心角が「φ３０７ｂ」の円弧が示す形状である。
【０２０７】
例えば、第２の領域２０６ｂは、導光板１３の入光面１３ａから終端面１３ｂに向かう方向（Ｙ軸のプラス方向）において、徐々に、出射面１３ｃに近づく領域である。第２の領域２０６ｂは、入光面１３ａに入射された光であって、入光面１３ａから終端面１３ｂに向かう光を反射して、出射面１３ｃから第２の方向７１に出射させる。したがって、プリズム２０６が形成された導光板１３を備える面状照明装置は、出射面１３ｃに対する第２の領域２０６ｂの傾斜角度が調整されること等により、デザイン用の光の配光を制御することができる。
【０２０８】
また、第２の領域２０６ｂは、曲面であるため、デザイン用の光として、出射面１３ｃから第２の方向７１に出射させる光の配光を広くすることができる。したがって、プリズム２０６が形成された導光板１３を備える面状照明装置は、デザイン用の光の配光を細やかに制御することができる。
【０２０９】
第３の領域２０６ｃは、第１の実施形態に係る第３の領域１３ｉと同様に、出射面１３ｃと平行又は略平行な領域である。したがって、導光板１３の出射面１３ｃとは反対側の主面１３ｄ側に存在する物体を出射面１３ｃ側から視認した場合に、視認される物体の物理的な連続性が高い。すなわち、視認される物体の歪みが抑制される。よって、導光板１３は、上述した所望の透光性を有する。
【０２１０】
なお、図２７を参照して、ＹＺ平面の断面視において、一の凹部２０６ｄの第１の領域２０６ａの形状が示す円弧の半径「Ｒ８」及び中心の位置と、一の凹部２０６ｄの第２の領域２０６ｂの形状が示す円弧の半径「Ｒ８」及び中心の位置とが同一である場合について説明した。しかしながら、図２８の例に示すように、ＹＺ平面の断面視において、一の凹部２０６ｄの第１の領域２０６ａの形状が示す円弧の半径「Ｒ９」及び中心の位置と、一の凹部２０６ｄの第２の領域２０６ｂの形状が示す円弧の半径「Ｒ１０」及び中心の位置とが異なっていてもよい。なお、図２８の例において、第１の領域２０６ａの形状が示す円弧の中心角は、「φ３０８」であり、第２の領域２０６ｂの形状が示す円弧の中心角は、「φ３０９」である。
【０２１１】
図２９には、導光板１３に形成されたプリズム２０７が示されている。複数のプリズム２０７は、図２１を参照して説明した複数のプリズム２０２と同様に、導光板１３に形成されている。
【０２１２】
プリズム２０７は、第１の領域２０７ａ及び第２の領域２０７ｂを有する凸部２０７ｄと、第３の領域２０７ｃとを有する。凸部２０７ｄは、出射面１３ｃとは反対側に突出する。凸部２０７ｄは、第１の凸部の一例である。
【０２１３】
一のプリズム２０７の第１の領域２０７ａの一端は、一のプリズム２０７の第３の領域２０７ｃの一端に接続されている。また、一のプリズム２０７の第１の領域２０７ａの他端は、一のプリズム２０７の第２の領域２０７ｂの一端に接続されている。一のプリズム２０７の第３の領域２０７ｃの他端は、一のプリズム２０７に隣接する他のプリズム２０７の第２の領域２０７ｂに接続されている。一のプリズム２０７の第２の領域２０７ｂの他端は、一のプリズム２０７に隣接する他のプリズム２０７の第３の領域２０７ｃに接続されている。
【０２１４】
第１の領域２０７ａは、反射フィルム１４（図１参照）により反射されて、終端面１３ｂから入光面１３ａに向かう光を、照明用の光として、出射面１３ｃから第１の方向７０（図９参照）に出射させる領域である。第１の領域２０７ａは、内側に凹む曲面である。すなわち、第１の領域２０７ａは、曲面を含む。第１の領域２０７ａの形状は、半径が「Ｒ１１」で、中心角が「φ３１０」の円弧が示す形状である。
【０２１５】
例えば、第１の領域２０７ａは、導光板１３の入光面１３ａから終端面１３ｂに向かう方向（Ｙ軸のプラス方向）において、徐々に、出射面１３ｃから離れる領域である。
【０２１６】
例えば、第１の領域２０７ａは、反射フィルム１４により反射されて、終端面１３ｂから入光面１３ａに向かう光を反射して、照明用の光として、出射面１３ｃから第１の方向７０に出射させる。したがって、プリズム２０７が形成された導光板１３を備える面状照明装置は、出射面１３ｃに対する第１の領域２０７ａの傾斜角度が調整されること等により、照明用の光の配光を制御することができる。
【０２１７】
また、第１の領域２０７ａは、曲面であるため、照明用の光として、出射面１３ｃから第１の方向７０に出射させる光の配光を広くすることができる。したがって、プリズム２０７が形成された導光板１３を備える面状照明装置は、照明用の光の配光を細やかに制御することができる。
【０２１８】
ここで、第１の領域２０７ａにより、多くの光が反射されて配光制御されるように、複数のプリズム２０７が、入光面１３ａから終端面１３ｂにかけて出射面１３ｃから段階的に離れるように形成されている。したがって、プリズム２０７が形成された導光板１３を備える面状照明装置は、効率的に、照明用の光の配光を制御することができる。
【０２１９】
第２の領域２０７ｂは、入光面１３ａに入射された光であって、入光面１３ａから終端面１３ｂに向かう光を、デザイン用の光として、出射面１３ｃから第２の方向７１（図９参照）に出射させる領域である。第２の領域２０７ｂは、内側に凹む曲面である。すなわち、第２の領域２０７ｂは、曲面を含む。第２の領域２０７ｂの形状は、半径が「Ｒ１２」で、中心角が「φ３１１」の円弧が示す形状である。
【０２２０】
例えば、第２の領域２０７ｂは、導光板１３の入光面１３ａから終端面１３ｂに向かう方向（Ｙ軸のプラス方向）において、徐々に、出射面１３ｃに近づく領域である。第２の領域２０７ｂは、入光面１３ａに入射された光であって、入光面１３ａから終端面１３ｂに向かう光を反射して、出射面１３ｃから第２の方向７１に出射させる。したがって、プリズム２０７が形成された導光板１３を備える面状照明装置は、出射面１３ｃに対する第２の領域２０７ｂの傾斜角度が調整されること等により、デザイン用の光の配光を制御することができる。
【０２２１】
また、第２の領域２０７ｂは、曲面であるため、デザイン用の光として、出射面１３ｃから第２の方向７１に出射させる光の配光を広くすることができる。したがって、プリズム２０７が形成された導光板１３を備える面状照明装置は、デザイン用の光の配光を細やかに制御することができる。
【０２２２】
第３の領域２０７ｃは、第１の実施形態に係る第３の領域１３ｉと同様に、出射面１３ｃと平行又は略平行な領域である。したがって、導光板１３の出射面１３ｃとは反対側の主面１３ｄ側に存在する物体を出射面１３ｃ側から視認した場合に、視認される物体の物理的な連続性が高い。すなわち、視認される物体の歪みが抑制される。よって、導光板１３は、上述した所望の透光性を有する。
【０２２３】
なお、図２９を参照して、ＹＺ平面の断面視において、第３の領域２０７ｃの形状が示す線分が、第１の領域２０７ａの形状が示す円弧に接する接線に接する接線であり、第２の領域２０７ｂの形状が示す円弧に接する接線である場合について説明した。しかしながら、第３の領域２０７ｃの形状が示す線分が、第１の領域２０７ａの形状が示す円弧に接する接線に接する接線ではなく、第２の領域２０７ｂの形状が示す円弧に接する接線ではなくてもよい。また、第３の領域２０７ｃの形状が示す線分が、第１の領域２０７ａの形状が示す円弧、及び、第２の領域２０７ｂの形状が示す円弧の少なくとも一方に接する接線であってもよい。
【０２２４】
図３０には、導光板１３に形成されたプリズム２０８が示されている。複数のプリズム２０８は、図２１を参照して説明した複数のプリズム２０２と同様に、導光板１３に形成されている。
【０２２５】
プリズム２０８は、第１の領域２０８ａ及び第２の領域２０８ｂを有する凸部２０８ｄと、第３の領域２０８ｃとを有する。凸部２０８ｄは、出射面１３ｃとは反対側に突出する。凸部２０８ｄは、第１の凸部の一例である。
【０２２６】
第１の領域２０８ａは、反射フィルム１４（図１参照）により反射されて、終端面１３ｂから入光面１３ａに向かう光を、照明用の光として、出射面１３ｃから第１の方向７０（図９参照）に出射させる領域である。
【０２２７】
例えば、第１の領域２０８ａは、導光板１３の入光面１３ａから終端面１３ｂに向かう方向（Ｙ軸のプラス方向）において、徐々に、出射面１３ｃから離れる領域である。
【０２２８】
第１の領域２０８ａは、領域２０８ａ＿１及び領域２０８ａ＿２（複数の領域）を含む。領域２０８ａ＿１及び領域２０８ａ＿２は、平面である。出射面１３ｃに対する領域２０８ａ＿１の傾斜角度は、出射面１３ｃに対する領域２０８ａ＿２の傾斜角度よりも大きい。一のプリズム２０８の領域２０８ａ＿１の一端は、一のプリズム２０８の領域２０８ａ＿２の一端に接続されている。一のプリズム２０８の領域２０８ａ＿２の他端は、一のプリズム２０８の後述する領域２０８ｂ＿２の一端に接続されている。また、一のプリズム２０８の領域２０８ａ＿１の他端は、一のプリズム２０８の第３の領域２０８ｃの一端に接続されている。一のプリズム２０８の第３の領域２０８ｃの他端は、一のプリズム２０８に隣接する他のプリズム２０８の後述する領域２０８ｂ＿１に接続されている。
【０２２９】
例えば、領域２０８ａ＿１及び領域２０８ａ＿２は、反射フィルム１４により反射されて、終端面１３ｂから入光面１３ａに向かう光を反射して、照明用の光として、出射面１３ｃから第１の方向７０に出射させる。したがって、プリズム２０８が形成された導光板１３を備える面状照明装置は、出射面１３ｃに対する領域２０８ａ＿１，２０８ａ＿２の傾斜角度が調整されること等により、照明用の光の配光を制御することができる。
【０２３０】
ここで、本実施形態では、第１の領域２０８ａにより、多くの光が反射されて配光制御されるように、複数のプリズム２０８が、入光面１３ａ（図１参照）から終端面１３ｂ（図１参照）にかけて出射面１３ｃから段階的に離れるように形成されている。したがって、プリズム２０８が形成された導光板１３を備える面状照明装置は、効率的に、照明用の光の配光を制御することができる。
【０２３１】
第２の領域２０８ｂは、入光面１３ａに入射された光であって、入光面１３ａから終端面１３ｂに向かう光を、デザイン用の光として、出射面１３ｃから第２の方向７１（図９参照）に出射させる領域である。
【０２３２】
例えば、第２の領域２０８ｂは、導光板１３の入光面１３ａから終端面１３ｂに向かう方向（Ｙ軸のプラス方向）において、徐々に、出射面１３ｃに近づく領域である。
【０２３３】
第２の領域２０８ｂは、領域２０８ｂ＿１及び領域２０８ｂ＿２（複数の領域）を含む。領域２０８ｂ＿１及び領域２０８ｂ＿２は、平面である。出射面１３ｃに対する領域２０８ｂ＿１の傾斜角度は、出射面１３ｃに対する領域２０８ｂ＿２の傾斜角度よりも大きい。一のプリズム２０８の領域２０８ｂ＿１の一端は、一のプリズム２０８の領域２０８ｂ＿２の他端に接続されている。また、一のプリズム２０８の領域２０８ｂ＿１の他端は、一のプリズム２０８に隣接する他のプリズム２０８の第３の領域２０８ｃに接続されている。
【０２３４】
例えば、領域２０８ｂ＿２は、入光面１３ａから終端面１３ｂに向かう光を反射して、デザイン用の光として、出射面１３ｃから第２の方向７１に出射させる。したがって、プリズム２０８が形成された導光板１３を備える面状照明装置は、出射面１３ｃに対する領域２０８ｂ＿２の傾斜角度が調整されること等により、デザイン用の光の配光を制御することができる。ここで、領域２０８ｂ＿１は、入光面１３ａから終端面１３ｂに向かう光を反射して、デザイン用の光ではなく、照明用の光として、出射面１３ｃから第１の方向７０に出射させる。
【０２３５】
第３の領域２０８ｃは、第１の実施形態に係る第３の領域１３ｉと同様に、出射面１３ｃと平行又は略平行な領域である。このため、導光板１３の出射面１３ｃとは反対側の主面１３ｄ側に存在する物体を出射面１３ｃ側から視認した場合に、視認される物体の物理的な連続性が高い。すなわち、視認される物体の歪みが抑制される。よって、導光板１３は、上述した所望の透光性を有する。
【０２３６】
図３１には、導光板１３に形成されたプリズム２０９が示されている。複数のプリズム２０９は、図２１を参照して説明した複数のプリズム２０２と同様に、導光板１３に形成されている。
【０２３７】
プリズム２０９は、第１の領域２０９ａ及び第２の領域２０９ｂを有する凹部２０９ｄと、第３の領域２０９ｃとを有する。凹部２０９ｄは、出射面１３ｃ側に凹んでいる。凹部２０９ｄは、第１の凹部の一例である。
【０２３８】
第１の領域２０９ａは、反射フィルム１４（図１参照）により反射されて、終端面１３ｂから入光面１３ａに向かう光を、照明用の光として、出射面１３ｃから第１の方向７０（図９参照）に出射させる領域である。
【０２３９】
例えば、第１の領域２０９ａは、導光板１３の入光面１３ａから終端面１３ｂに向かう方向（Ｙ軸のプラス方向）において、徐々に、出射面１３ｃから離れる領域である。
【０２４０】
第１の領域２０９ａは、領域２０９ａ＿１及び領域２０９ａ＿２（複数の領域）を含む。領域２０９ａ＿１及び領域２０９ａ＿２は、平面である。出射面１３ｃに対する領域２０９ａ＿１の傾斜角度は、出射面１３ｃに対する領域２０９ａ＿２の傾斜角度よりも大きい。一のプリズム２０９の領域２０９ａ＿１の一端は、一のプリズム２０９の領域２０９ａ＿２の一端に接続されている。また、一のプリズム２０９の領域２０９ａ＿１の他端は、一のプリズム２０９の後述する領域２０９ｂ＿１の一端に接続されている。一のプリズム２０９の領域２０９ａ＿２の他端は、一のプリズム２０９に隣接する他のプリズム２０９の第３の領域２０９ｃに接続されている。
【０２４１】
例えば、領域２０９ａ＿１及び領域２０９ａ＿２は、反射フィルム１４により反射されて、終端面１３ｂから入光面１３ａに向かう光を反射して、照明用の光として、出射面１３ｃから第１の方向７０に出射させる。したがって、プリズム２０９が形成された導光板１３を備える面状照明装置は、出射面１３ｃに対する領域２０９ａ＿１，２０９ａ＿２の傾斜角度が調整されること等により、照明用の光の配光を制御することができる。
【０２４２】
ここで、本実施形態では、第１の領域２０９ａにより、多くの光が反射されて配光制御されるように、複数のプリズム２０９が、入光面１３ａ（図１参照）から終端面１３ｂ（図１参照）にかけて出射面１３ｃから段階的に離れるように形成されている。したがって、プリズム２０９が形成された導光板１３を備える面状照明装置は、効率的に、照明用の光の配光を制御することができる。
【０２４３】
第２の領域２０９ｂは、入光面１３ａに入射された光であって、入光面１３ａから終端面１３ｂに向かう光を、デザイン用の光として、出射面１３ｃから第２の方向７１（図９参照）に出射させる領域である。
【０２４４】
例えば、第２の領域２０９ｂは、導光板１３の入光面１３ａから終端面１３ｂに向かう方向（Ｙ軸のプラス方向）において、徐々に、出射面１３ｃに近づく領域である。
【０２４５】
第２の領域２０９ｂは、領域２０９ｂ＿１及び領域２０９ｂ＿２（複数の領域）を含む。領域２０９ｂ＿１及び領域２０９ｂ＿２は、平面である。出射面１３ｃに対する領域２０９ｂ＿１の傾斜角度は、出射面１３ｃに対する領域２０９ｂ＿２の傾斜角度よりも大きい。一のプリズム２０９の領域２０９ｂ＿１の他端は、一のプリズム２０９の領域２０９ｂ＿２の一端に接続されている。一のプリズム２０９の領域２０９ｂ＿２の他端は、一のプリズム２０９の第３の領域２０９ｃの一端に接続されている。一のプリズム２０９の第３の領域２０９ｃの他端は、一のプリズム２０９に隣接する他のプリズム２０９の領域２０９ａ＿２に接続されている。
【０２４６】
例えば、領域２０９ｂ＿２は、入光面１３ａから終端面１３ｂに向かう光を反射して、デザイン用の光として、出射面１３ｃから第２の方向７１に出射させる。したがって、プリズム２０９が形成された導光板１３を備える面状照明装置は、出射面１３ｃに対する領域２０９ｂ＿２の傾斜角度が調整されること等により、デザイン用の光の配光を制御することができる。ここで、領域２０９ｂ＿１は、入光面１３ａから終端面１３ｂに向かう光を反射して、デザイン用の光ではなく、照明用の光として、出射面１３ｃから第１の方向７０に出射させる。
【０２４７】
第３の領域２０９ｃは、第１の実施形態に係る第３の領域１３ｉと同様に、出射面１３ｃと平行又は略平行な領域である。このため、導光板１３の出射面１３ｃとは反対側の主面１３ｄ側に存在する物体を出射面１３ｃ側から視認した場合に、視認される物体の物理的な連続性が高い。すなわち、視認される物体の歪みが抑制される。よって、導光板１３は、上述した所望の透光性を有する。
【０２４８】
次に、図３２を参照して、第２の参考例に係る導光板５１０について説明する。図３２は、第２の参考例に係る導光板５１０の側面図である。図３２に示すように、第２の参考例に係る導光板５１０は、入射された光が出射される出射面５１０ａと、出射面５１０ａとは反対側の主面５１０ｂとを有する。また、導光板５１０は、Ｙ軸のマイナス方向側の端面である入光面（図示せず）と、入光面と反対側の端面である終端面（図示せず）とを有する。
【０２４９】
導光板５１０の入光面には、線状光源からの光が入射される。導光板５１０の終端面側には反射フィルム（図示せず）が配置されている。反射フィルムは、終端面から漏れた光を反射する。終端面には、反射フィルムにより反射された光が入射される。
【０２５０】
導光板５１０の主面５１０ｂに、複数のプリズム５１１が、導光板５１０の短手方向（Ｙ軸方向）に並んで形成されている。複数のプリズム５１１は、入光面から終端面にかけて（Ｙ軸のマイナス方向側からＹ軸のプラス方向側にかけて）、出射面５１０ａから段階的に離れるように形成されている。
【０２５１】
プリズム５１１は、領域５１１ａと、領域５１１ｂとを有する。領域５１１ａは、出射面５１０ａと平行又は略平行である。
【０２５２】
一のプリズム５１１の領域５１１ａの一端は、一のプリズム５１１の領域５１１ｂの一端に接続されている。また、一のプリズム５１１の領域５１１ａの他端は、一のプリズム５１１に隣接する他のプリズム５１１の領域５１１ｂに接続されている。一のプリズム５１１の領域５１１ｂの他端は、一のプリズム５１１に隣接する他のプリズム５１１の領域５１１ａに接続されている。
【０２５３】
領域５１１ｂは、反射フィルムにより反射されて、終端面から入光面に向かう光５１１ｃを、照明用の光として、出射面５１０ａから照明用の所定の方向に出射させる。しかしながら、第２の参考例に係る導光板５１０には、入光面から終端面に向かう光を、デザイン用の光として、出射面５１０ａからデザイン用の所定の方向に出射させるプリズムが形成されてない。このため、第２の参考例に係る導光板５１０を備える面状照明装置では、デザイン用の光の配光を制御することが困難である。
【０２５４】
一方、上述した複数のプリズム１３ｅ，１３ｍ，１３ｐ，１３ｕ，２０２〜２０９のうち、いずれかのプリズムが形成された導光板１３を備える面状照明装置によれば、照明用の光の配光及びデザイン用の光の配光を制御するプリズムが導光板１３に形成されているため、照明用の光の配光及びデザイン用の光の配光を制御することができる。
【０２５５】
なお、図２１〜３１を参照して説明した導光板１３において、プリズム２０２〜２０９は第２の実施形態において図１５を参照して説明した明部７９ａに相当するが、更に、暗部７９ｂに相当するプリズムを形成することもできる。このようなプリズムの形成方法の一例について説明する。例えば、暗部７９ｂに相当するプリズムが凸部を有するプリズムである場合には、図１６を参照して説明した工程２の方法と同様の方法によって製造された金型を用いて、暗部７９ｂに相当するプリズムを形成することができる。例えば、凸部２０２ｆの形状と同一の形状を有するバイトによる金型の段差の部分の切削の深さを調整することで、明部７９ａに対応するプリズム２０２、及び、暗部７９ｂに対応するプリズムを形成するための金型を製造することができる。他の凸部２０４ｄ，２０７ｄ，２０８ｄを有するプリズム２０４，２０７，２０８についても同様である。
【０２５６】
また、暗部７９ｂに相当するプリズムが凹部を有するプリズムである場合には、図２０を参照して説明した工程２の方法と同様の方法によって製造された金型を用いて、暗部７９ｂに相当するプリズムを形成することができる。例えば、凹部２０３ｈの形状と同一の形状を有するバイトにより、凹部２０３ｈの形状に対応する部分を有するように金型を加工する。そして、かかるバイトの平面部により、凹部２０３ｈに対応する部分の少なくとも一部を平らに加工して、金型に、暗部７９ｂに相当するプリズムの形状が形成されるようにする。このようにして、明部７９ａに対応するプリズム２０３、及び、暗部７９ｂに対応するプリズムを形成するための金型を製造することができる。他の凹部２０５ｄ，２０６ｄ，２０９ｄを有するプリズム２０５，２０６，２０９についても同様である。
【０２５７】
そして、明部７９ａに対応するプリズム２０２〜２０９及び暗部７９ｂに対応するプリズムの長さや数、配置位置などを調整することにより、任意の発光パターンを形成することができる。
【０２５８】
次に、図１２及び図１８等を参照して説明したバイト７８，９０以外の他のバイトの例について説明する。図３３〜図３８は、他のバイトの一例を示す図である。
【０２５９】
図３３には、他のバイトの一例として、バイト２１５が示されている。バイト２１５は、多角形であり、例えば、バイト２１５の先端部分の形状と同一の形状の凸部がプリズム間に形成される導光板の製造に用いられる金型を製造する際に用いられる。
【０２６０】
図３４には、他のバイトの一例として、バイト２１６が示されている。バイト２１６の先端部分は、外側に突出する曲面２１６ａ及び外側に突出する曲面２１６ｂを有する。曲面２１６ａは、曲面２１６ｂに接続されている。曲面２１６ａの形状は、半径が「Ｒ１３」で、中心角が「φ３１２」の円弧が示す形状である。曲面２１６ｂの形状は、半径が「Ｒ１４」で、中心角が「φ３１３」の円弧が示す形状である。バイト２１６は、例えば、バイト２１６の先端部分の形状と同一の形状を有する凸部がプリズム間に形成される導光板の製造に用いられる金型を製造する際に用いられる。
【０２６１】
図３５には、他のバイトの一例として、バイト２１７が示されている。バイト２１７の先端部分は、内側に凹む曲面２１７ａ及び内側に凹む曲面２１７ｂを有する。曲面２１７ａは、曲面２１７ｂに接続されている。曲面２１７ａの形状は、半径が「Ｒ１５」で、中心角が「φ３１４」の円弧が示す形状である。曲面２１７ｂの形状は、半径が「Ｒ１６」で、中心角が「φ３１５」の円弧が示す形状である。バイト２１７は、例えば、バイト２１７の先端部分の形状と同一の形状を有する凸部がプリズム間に形成される導光板の製造に用いられる金型を製造する際に用いられる。
【０２６２】
図３６には、他のバイトの一例として、バイト２１８が示されている。バイト２１８は、多角形であり、平面２１８ａを有する。バイト２１８は、例えば、バイト２１８の先端部分の一部の形状と同一の形状を有するプリズムが形成される導光板の製造に用いられる金型を製造する際に用いられる。
【０２６３】
図３７には、他のバイトの一例として、バイト２１９が示されている。バイト２１９の先端部分は、外側に突出する曲面２１９ａ、外側に突出する曲面２１９ｂ、及び、平面２１９ｃを有する。曲面２１９ａは、平面２１９ｃの一端に接続されている。平面２１９ｃの他端は、曲面２１９ｂに接続されている。曲面２１９ａの形状は、半径が「Ｒ１７」で、中心角が「φ３１６」の円弧が示す形状である。曲面２１９ｂの形状は、半径が「Ｒ１８」で、中心角が「φ３１７」の円弧が示す形状である。バイト２１９は、例えば、バイト２１９の先端部分の一部の形状と同一の形状を有するプリズムが形成される導光板の製造に用いられる金型を製造する際に用いられる。
【０２６４】
図３８には、他のバイトの一例として、バイト２２０が示されている。バイト２２０の先端部分は、内側に凹む曲面２２０ａ、内側に凹む曲面２２０ｂ、及び、平面２２０ｃを有する。曲面２２０ａは、平面２２０ｃの一端に接続されている。平面２２０ｃの他端は、曲面２２０ｂに接続されている。曲面２２０ａの形状は、半径が「Ｒ１９」で、中心角が「φ３１８」の円弧が示す形状である。曲面２２０ｂの形状は、半径が「Ｒ２０」で、中心角が「φ３１９」の円弧が示す形状である。バイト２２０は、例えば、バイト２２０の先端部分の一部の形状と同一の形状を有するプリズムが形成される導光板の製造に用いられる金型を製造する際に用いられる。
【０２６５】
次に、図３９〜図４２を参照して、上述した面状照明装置のモデルに対して行われたシミュレーションの結果について説明する。このシミュレーションは、面状照明装置のモデルの開口部１１ａの中心から、鉛直方向において８００ｍｍ下に設置された評価面（横１０００ｍｍ、縦１０００ｍｍ）に、面状照明装置のモデルにより照射された照明用の光の照度分布を得るシミュレーションである。なお、このシミュレーションにおいて、一定の範囲を有する第１の方向（図９参照）のうちいずれかの方向が、評価面の中心（０，０）を通るように面状照明装置のモデルの姿勢が設定される。
【０２６６】
図３９は、図３２を参照して説明した第２の参考例に係るプリズム５１１が形成された導光板５１０を備える面状照明装置のモデルにより、評価面に照射された照明用の光の照度分布の一例、及び、評価面の縦方向の位置（縦方向の中心の位置「０」を基準とした位置）と、縦方向の各位置における横方向の中心の位置「０」の照度との関係を示すグラフの一例を示す図である。図３９の左側には、かかる照度分布の一例が示されており、右側には、かかるグラフの一例が示されている。なお、面状照明装置のモデルにおける線状光源（図示せず）が図３９において上側に位置し、反射フィルム（図示せず）が図３９において下側に位置するように、面状照明装置のモデルの姿勢が設定されている。図４０〜４３の例においても、面状照明装置のモデルの姿勢は、同様に設定されている。また、図３９の例のグラフにおいて、横軸は照度を示し、縦軸は、評価面の縦方向の位置を示す。図４０〜４３の例のグラフにおいても、同様である。
【０２６７】
図３９の例の照度分布及びグラフに示すように、面状照明装置のモデルの線状光源側（導光板５１０（図３２参照）の入光面（図示せず）側）には、光が出射されているものの、反射フィルム側（導光板５１０の終端面（図示せず）側）には、ほとんど光が出射されていない。これは、図３２に示すように、第２の参考例に係る導光板５１０には、入光面から終端面に向かう光を、出射面５１０ａから、照明用の光の出射範囲として必要な所定の出射範囲のうち終端面側の所定の範囲内に出射させるプリズムが形成されてないからである。したがって、第２の参考例に係るプリズム５１１が形成された導光板５１０を備える面状照明装置では、照度むらの発生を抑制することが困難である。
【０２６８】
図４０は、図２１を参照して説明したプリズム２０２が形成された導光板１３を備える面状照明装置のモデルにより、評価面に照射された照明用の光の照度分布の一例、及び、評価面の縦方向の位置と、縦方向の各位置における横方向の中心の位置「０」の照度との関係を示すグラフの一例を示す図である。図４０の左側には、かかる照度分布の一例が示されており、右側には、かかるグラフの一例が示されている。
【０２６９】
図４０の例の照度分布及びグラフに示すように、面状照明装置のモデルの線状光源１５（図１参照）側には、光が出射されている。また、図４０の例の照度分布及びグラフに示すように、図３９の例の照度分布及びグラフと比較すると、反射フィルム１４（図１参照）側（導光板１３の終端面１３ｂ（図１参照）側）には、光が出射されていることが分かる。これは、図２１に示すように、プリズム２０２の第２の領域２０２ｂよって、導光板１３の入光面１３ａ（図１参照）から終端面１３ｂに向かう光が反射されて、第２の方向７１（図９参照）に向かう光として出射面１３ｃから出射された光のうち、一部の光が、第１の方向７０（図９参照）に向かっていると考えられるからである。したがって、プリズム２０２が形成された導光板１３を備える面状照明装置では、プリズム５１１が形成された導光板５１０を備える面状照明装置と比較すると、照度むらの発生を抑制することができる。
【０２７０】
ただし、図４０の例の照度分布及びグラフに示すように、評価面の縦方向の位置が０ｍｍから概ね−１７０ｍｍまでにかけて、照度が低い部分がある。これは、図２１の例に示す導光板１３には、入光面１３ａから終端面１３ｂに向かう光を、出射面１３ｃから、照明用の光の出射範囲として必要な所定の出射範囲のうち終端面１３ｂ側の所定範囲内に出射させるプリズムが形成されてないからである。
【０２７１】
図４１は、図１０を参照して説明したプリズム１３ｅが形成された導光板１３を備える面状照明装置１のモデルにより、評価面に照射された照明用の光の照度分布の一例、及び、評価面の縦方向の位置と、縦方向の各位置における横方向の中心の位置「０」の照度との関係を示すグラフの一例を示す図である。図４１の左側には、かかる照度分布の一例が示されており、右側には、かかるグラフの一例が示されている。
【０２７２】
図４１の例の照度分布及びグラフに示すように、面状照明装置１のモデルの線状光源１５（図１参照）側には、光が出射されている。また、図４１の例の照度分布及びグラフに示すように、図４０の例の照度分布及びグラフと比較すると、反射フィルム１４（図１参照）側（導光板１３の終端面１３ｂ（図１参照）側）に光が出射されていることが分かる。また、図４１の例の照度分布及びグラフに示すように、図４０の例の照度分布及びグラフが示す上述の照度が低い部分に対応する部分の照度が高くなっている。これは、図１０の例に示す導光板１３には、入光面１３ａから終端面１３ｂに向かう光を、出射面１３ｃから、照明用の光の出射範囲として必要な所定の出射範囲のうち終端面１３ｂ側の所定範囲内に出射させる領域１３ｈ＿２を有するプリズム１３ｅが形成されているからである。したがって、プリズム１３ｅが形成された導光板１３を備える面状照明装置１では、プリズム２０２が形成された導光板１３を備える面状照明装置と比較すると、照度むらの発生を抑制することができる。
【０２７３】
ただし、図４１の例の照度分布は、同一の照度の位置を結ぶ線分が、評価面の位置（０，０）を中心とする同心円状となっておらず、いびつな形状となっている。これは、図１０の例に示すプリズム１３ｅが、平面である領域１３ｇ＿１，１３ｇ＿２，１３ｈ＿２を有するからである。具体的には、平面である領域１３ｇ＿１，１３ｇ＿２，１３ｈ＿２により、離散的に光が反射されるからである。
【０２７４】
図４２は、図２９を参照して説明したプリズム２０７が形成された導光板１３を備える面状照明装置のモデルにより、評価面に照射された照明用の光の照度分布の一例、及び、評価面の縦方向の位置と、縦方向の各位置における横方向の中心の位置「０」の照度との関係を示すグラフの一例を示す図である。図４２の左側には、かかる照度分布の一例が示されており、右側には、かかるグラフの一例が示されている。
【０２７５】
図４２の例のグラフに示すように、縦方向の中心の位置「０」が最大の照度となっており、縦方向の中心の位置「０」から離れるにつれて徐々に照度が小さくなっている。また、図４２の例の照度分布に示すように、同一の照度の位置を結ぶ線分が、概ね、評価面の位置（０，０）を中心とする同心円状となっている。これは、図２９の例に示す導光板１３に形成されたプリズム２０７が、曲面である第１の領域２０７ａを有するからである。具体的には、曲面である第１の領域２０７ａにより、終端面１３ｂ（図１参照）から入光面１３ａ（図１参照）に向かう光が複数の方向に一様に拡散されるからである。この結果、プリズム２０７が形成された導光板１３を備える面状照明装置では、プリズム１３ｅが形成された導光板１３を備える面状照明装置１と比較すると、照度むらの発生を抑制することができる。
【０２７６】
以上、各実施形態および各変形例に係る面状照明装置について説明した。各実施形態および各変形例に係る面状照明装置によれば、２種類の光の配光を制御することができる。
【０２７７】
なお、上記各実施形態および各変形例により本発明が限定されるものではない。上述した各構成要素を適宜組み合わせて構成したものも本発明に含まれる。また、さらなる効果や変形例は、当業者によって容易に導き出すことができる。よって、本発明のより広範な態様は、上記の各実施形態および各変形例に限定されるものではなく、様々な変更が可能である。
【符号の説明】
【０２７８】
１，１００，１０１，１０２  面状照明装置
１１  ハウジングフレーム
１２ａ、１２ｂ  ＦＰＣ
１３  導光板
１３ａ  入光面
１３ｂ  終端面
１３ｃ  出射面
１３ｄ  主面（反対面）
１３ｅ，１３ｐ，２０２〜２０９  プリズム（第１のプリズム）
１３ｍ，１３ｕ  プリズム（第２のプリズム）
１３ｆ，２０２ｆ，２０４ｄ，２０７ｄ，２０８ｄ    凸部（第１の凸部）
１３ｎ  凸部（第２の凸部）
１３ｑ，２０３ｈ，２０５ｄ，２０６ｄ，２０９ｄ  凹部（第１の凹部）
１３ｘ  凹部（第２の凹部）
１４  反射フィルム（反射部材）
１５  線状光源（光源）
１５ａ，１５ｂ  ＬＥＤ
１５ｃ  ライトバー
１５ｄ  プリズムシート
１５ｅ  拡散シート
７０  第１の方向
７１  第２の方向
【図１】
2018129239.tif 000003
【図２】
2018129239.tif 000004
【図３】
2018129239.tif 000005
【図４】
2018129239.tif 000006
【図５】
2018129239.tif 000007
【図６】
2018129239.tif 000008
【図７Ａ】
2018129239.tif 000009
【図７Ｂ】
2018129239.tif 000010
【図８】
2018129239.tif 000011
【図９】
2018129239.tif 000012
【図１０】
2018129239.tif 000013
【図１１】
2018129239.tif 000014
【図１２】
2018129239.tif 000015
【図１３】
2018129239.tif 000016
【図１４】
2018129239.tif 000017
【図１５】
2018129239.tif 000018
【図１６】
2018129239.tif 000019
【図１７】
2018129239.tif 000020
【図１８】
2018129239.tif 000021
【図１９】
2018129239.tif 000022
【図２０】
2018129239.tif 000023
【図２１】
2018129239.tif 000024
【図２２】
2018129239.tif 000025
【図２３】
2018129239.tif 000026
【図２４】
2018129239.tif 000027
【図２５】
2018129239.tif 000028
【図２６】
2018129239.tif 000029
【図２７】
2018129239.tif 000030
【図２８】
2018129239.tif 000031
【図２９】
2018129239.tif 000032
【図３０】
2018129239.tif 000033
【図３１】
2018129239.tif 000034
【図３２】
2018129239.tif 000035
【図３３】
2018129239.tif 000036
【図３４】
2018129239.tif 000037
【図３５】
2018129239.tif 000038
【図３６】
2018129239.tif 000039
【図３７】
2018129239.tif 000040
【図３８】
2018129239.tif 000041
【図３９】
2018129239.tif 000042
【図４０】
2018129239.tif 000043
【図４１】
2018129239.tif 000044
【図４２】
2018129239.tif 000045